(57)【要約】  ディスプレイと、少なくとも１つのインストラクションを保存するメモリと、少なくとも１つの無線ネットワークを介し、モバイル機器と通信を行う通信部と、メモリに保存された前記少なくとも１つのインストラクションのうち少なくとも一つを遂行するプロセッサを少なくとも一つ含む制御部と、を含み、該プロセッサによって実行される少なくとも１つのインストラクションの少なくとも一つは、所定アプリケーションが実行されるとき、該所定アプリケーションのオンまたはオフを制御するために登録されたモバイル機器が感知されないことに応答し、プロセスが開始されないように制御するディスプレイ機器である。
2022500975.tif 000002
【特許請求の範囲】
【請求項１】
ディスプレイと、
少なくとも１つのインストラクションを保存するメモリと、
少なくとも１つの無線ネットワークを介し、モバイル機器と通信を行う通信部と、
前記メモリに保存された前記少なくとも１つのインストラクションのうち少なくとも一つを遂行するプロセッサを少なくとも一つ含む制御部と、を含み、
前記プロセッサによって実行される前記少なくとも１つのインストラクションの少なくとも一つは、
所定アプリケーションが実行される時前記所定アプリケーションのオンまたはオフを制御するために登録されたモバイル機器が感知されないことに応答し、プロセスが開始されないように制御する、ディスプレイ機器。
【請求項２】
前記プロセッサは、
前記所定アプリケーションが実行された以後、前記モバイル機器が感知されるまで、前記プロセスが開始されないように制御する、請求項１に記載のディスプレイ機器。
【請求項３】
前記プロセッサは、
前記所定アプリケーションが実行された以後、前記モバイル機器が感知されることに応答し、前記プロセスが開始されるように制御する、請求項１に記載のディスプレイ機器。
【請求項４】
前記所定アプリケーションは、
アンビエントサービスを提供するためのアプリケーションである、請求項１に記載のディスプレイ機器。
【請求項５】
前記プロセッサは、
ＢＬＥ（Bluetooth low energy）ネットワークを介して受信されるＢＬＥ信号に基づき、前記登録されたモバイルが感知されるか否かということを判断する、請求項１に記載のディスプレイ機器。
【請求項６】
前記プロセスは、
前記登録されたモバイルを感知するためのスキャンを行った結果により、前記所定アプリケーションを自動的に終了させるか否かということを決定するプロセスである、請求項１に記載のディスプレイ機器。
【請求項７】
前記プロセッサは、
前記所定アプリケーションが開始される第１時点から第１時間区間の間、前記登録されたモバイルが感知されるか否かということを判断し、
前記判断の結果により、前記登録されたモバイルが感知されないことに応答し、前記第１時点から第２時間区間が経過した後、前記登録されたモバイルが存在するか否かということを再判断する、請求項１に記載のディスプレイ機器。
【請求項８】
前記プロセッサは、
前記再判断の結果、前記登録されたモバイルが感知されないことに基づき、前記第２時間区間を周期とし、前記登録されたモバイルが感知されるか否かということを再判断し、前記登録されたモバイルが感知されるまで、前記プロセスが開始されないように制御する、請求項７に記載のディスプレイ機器。
【請求項９】
前記プロセッサは、
前記再判断の結果、前記登録されたモバイルが感知されることに基づき、前記プロセスが開始されるように制御する、請求項７に記載のディスプレイ機器。
【請求項１０】
前記プロセッサは、
前記所定アプリケーションの実行が開始される第１時点から第１時間区間の間、前記登録されたモバイルが感知されるか否かということを判断し、前記判断の結果、前記登録されたモバイルが感知されることに基づき、前記プロセスが開始されるように制御する、請求項１に記載のディスプレイ機器。
【請求項１１】
前記プロセッサは、
前記判断の結果、前記登録されたモバイルが感知されることに応答し、前記第１時点から第２時間区間が経過した第３時点から、前記第１時間区間の間、前記登録されたモバイルが感知されるか否かということを再判断し、前記再判断の結果、前記登録されたモバイルが感知されないことに基づき、前記所定アプリケーションを終了させるための動作を遂行する、請求項１０に記載のディスプレイ機器。
【請求項１２】
前記プロセッサは、
前記再判断の結果、前記登録されたモバイルが感知されないことに応答し、前記所定アプリケーションの終了を知らせる第１ユーザインターフェース画面を出力し、前記所定アプリケーションの実行を自動的に終了させる、請求項１１に記載のディスプレイ機器。
【請求項１３】
前記プロセッサは、
前記再判断の結果、前記登録されたモバイルが感知されないことに基づき、前記所定アプリケーションの実行いかんを選択されるための第２ユーザインターフェース画面を出力し、前記第２ユーザインターフェース画面を介して受信されるユーザ入力に基づき、前記所定アプリケーションの終了いかんを決定する、請求項１１に記載のディスプレイ機器。
【請求項１４】
前記プロセッサは、
前記第２ユーザインターフェース画面を介し、アンビエントサービスの終了拒否に対応するユーザ入力の受信に応答し、前記所定アプリケーションの実行が維持されるように制御する、請求項１３に記載のディスプレイ機器。
【請求項１５】
アンビエントサービスを提供することができるディスプレイ機器を制御する方法において、
所定アプリケーションの実行を開始させる段階と、
登録されたモバイルが感知されるまで、前記所定アプリケーションを自動的に終了させるためのプロセスが開始されないように制御する段階と、を含む、ディスプレイ機器の制御方法。
【発明の詳細な説明】
【技術分野】
【０００１】
本発明は、ディスプレイ機器の制御方法、及びそれによるディスプレイ機器に係り、例えば、ＢＬＥ（Bluetooth low energy）ネットワークのようなネットワークを介して連結されるモバイル機器と通信を行うディスプレイ機器の制御方法、及びそれによるディスプレイ機器に関する。
【背景技術】
【０００２】
モバイル機器が広く利用されながら、モバイル機器と電子機器とが無線ネットワークを介して互いに連結され、連結された機器が互いに連動されて利用される技術が開発されている。ここで、モバイル機器は、ユーザが携帯可能な全ての電子機器にもなり、モバイル機器と、無線ネットワークを介して連結される電子機器は、ディスプレイ機器にもなる。
【０００３】
また、携帯可能ではない複数個の電子機器も、家庭事物インターネット（home ＩｏＴ）プラットフォームのような技術によって制御可能とされ、モバイル機器と互いに連結されて利用及び／または制御するための技術が開発されている。
【０００４】
ここで、無線ネットワークは、低電力で無線通信を行うことができるブルートゥース（登録商標、以下同様）通信規格によるネットワークにもなる。さらに詳細には、該ブルートゥース通信規格は、ＢＬＥ通信規格を含み、該無線ネットワークは、ＢＬＥネットワークを含んでもよい。
【０００５】
ＢＬＥを介してモバイル機器と連結されるディスプレイ機器は、モバイル機器から伝送されるＢＬＥ信号に基づいても制御される。
【発明の概要】
【発明が解決しようとする課題】
【０００６】
本発明が解決しようとする課題は、ディスプレイ機器に対する制御方法を提供することである。
【課題を解決するための手段】
【０００７】
ＢＬＥを介してモバイル機器と連結され、モバイル機器から伝送されるＢＬＥ信号に基づいて制御されるディスプレイ機器が提供される。
【発明の効果】
【０００８】
開示された実施形態によるディスプレイ機器の制御方法、及びそれによるディスプレイ機器は、ユーザの意図に符合するように、無線通信スキーム（wireless communication scheme）、例えば、ＢＬＥを利用し、所定アプリケーションの動作を制御することができる。
【０００９】
具体的には、開示された実施形態によるディスプレイ機器の制御方法、及びそれによるディスプレイ機器は、登録されたユーザが、ディスプレイ機器周囲に存在せずとも、所定アプリケーション、例えば、アンビエントサービスの実行を終了させずに維持することができる。それにより、登録されたユーザ以外のユーザが、アンビエントサービスを提供されるようにし、ユーザの満足度を高めることができる。
【図面の簡単な説明】
【００１０】
【図１】家庭内において、無線ネットワーク（例えば、ＢＬＥネットワーク）を介して連結可能な複数個の電子機器を示す図面である。
【図２】アンビエントサービスを提供するディスプレイ機器を示す図面である。
【図３】ＢＬＥネットワークを介して通信を行うことができるディスプレイ機器を示す図面である。
【図４】開示された実施形態によるディスプレイ機器を示すブロック図である。
【図５】開示された実施形態によるディスプレイ機器を詳細に示すブロック図である。
【図６】開示された実施形態によるディスプレイ機器を示す他のブロック図である。
【図７】開示された実施形態によるディスプレイ機器とモバイル機器とのペアリング動作について説明するための図面である。
【図８】開示された実施形態によるディスプレイ機器の制御方法を示すフローチャートである。
【図９】第１オペレーションシステムを有するモバイル機器とペアリングされるディスプレイ機器で実行されるアンビエントサービスの動作について説明するための図面である。
【図１０】第１オペレーションシステムとは異なる第２オペレーションシステムを有するモバイル機器とペアリングされるディスプレイ機器で実行されるアンビエントサービスの動作について説明するための図面である。
【図１１】開示された実施形態によるディスプレイ機器で遂行されるアンビエントサービスの制御動作について説明するための図面である。
【図１２】開示された実施形態によるディスプレイ機器で遂行されるアンビエントサービスの制御動作について説明するための他の図面である。
【図１３】開示された実施形態によるディスプレイ機器で遂行されるアンビエントサービスの制御動作について説明するための他の図面である。
【図１４】開示された実施形態によるディスプレイ機器で出力されるユーザインターフェース画面を示す図面である。
【図１５】開示された実施形態によるディスプレイ機器で出力されるユーザインターフェース画面を示す他の図面である。
【発明を実施するための形態】
【００１１】
本出願は、２０１８年９月２７日、韓国特許庁に提出された韓国特許出願第１０−２０１８−０１１５３４７号に基づいており、その優先権を主張し、その開示は、参照によりその全体が本明細書に組み込まれる。
【００１２】
本開示の実施形態は、所定の適用を提供することができる表示装置の制御方法、およびそのための表示装置を提供することができる。
【００１３】
開示された実施形態は、所定アプリケーションを提供することができるディスプレイ機器の制御方法、及びそれによるディスプレイ機器の提供を目的とする。
【００１４】
例えば、ＢＬＥ（Bluetooth low energy）を利用し、ディスプレイ機器の動作を制御するにおき、ユーザの意図に符合するように、ディスプレイ機器で遂行される動作を制御する必要がある。従って、開示された実施形態は、ＢＬＥを利用し、ユーザの意図に符合するように、所定サービスの動作を制御することができるディスプレイ機器の制御方法、及びそれによるディスプレイ機器の提供を目的とする。
【００１５】
追加の態様は、以下の説明において部分的に記載され、部分的には、説明から明らかになるであろう。
【００１６】
開示された実施形態によるディスプレイ機器は、ディスプレイと、少なくとも１つのインストラクションを保存するメモリと、ＢＬＥネットワークを含む少なくとも１つの無線ネットワークを介してモバイル機器と通信を行う通信部と、前記メモリに保存された前記少なくとも１つのインストラクションのうち少なくとも一つを遂行するプロセッサを少なくとも一つ含む制御部と、を含む。ここで、前記プロセッサは、アンビエント（ambient）サービスが開始された第１時点以後、前記アンビエントサービスのオンまたはオフを制御するために登録されたモバイルが感知されなければ、前記登録されたモバイルが感知されるまで、前記アンビエントサービスを自動的に終了させるための第１プロセスが開始されないように制御する。前述の実施形態によれば、該ディスプレイ機器は、登録されたユーザが、ディスプレイ機器周囲に存在しなくても、アンビエントサービスの実行を終了させずに維持することができる。それにより、登録されたユーザ以外のユーザがアンビエントサービスを提供されるようにし、ユーザの満足度を高めることができる。
【００１７】
また、前記プロセッサは、前記第１時点以後、前記登録されたモバイルが感知されるまで、前記アンビエントサービスがオン状態を維持するように制御することができる。前述の実施形態によれば、該ディスプレイ機器は、アンビエントサービスが開始される時点に対応して登録されたユーザが、ディスプレイ機器周囲に存在しない場合、登録されたモバイルが感知されるまで、アンビエントサービスを、オン状態に維持することができる。それにより、アンビエントサービスが急に終了することにより、複数のユーザのうち一部が感じてしまう不便さを除去することができる。
【００１８】
また、前記プロセッサは、前記ＢＬＥネットワークを介して受信されるＢＬＥ信号に基づき、前記登録されたモバイルが感知されるか否かということを判断することができる。前述の実施形態によれば、該ディスプレイ機器は、低電力で具現されるＢＬＥ信号のスキャン動作を介し、登録されたモバイルを迅速に容易に感知することができる。
【００１９】
また、前記第１プロセスは、前記登録されたモバイルを感知するためのスキャンを行った結果により、前記アンビエントサービスを自動的に終了させるか否かということを決定するプロセスにもなる。
【００２０】
また、前記プロセッサは、前記第１時点から第１時間区間の間、前記登録されたモバイルが感知されるか否かということを判断し、前記判断結果、前記登録されたモバイルが感知されなければ、前記第１時点から第２時間区間が経過した後、前記登録されたモバイルが存在するか否かということを再判断することができる。
【００２１】
また、前記プロセッサは、前記再判断結果、前記登録されたモバイルが感知されなければ、前記第２時間区間を周期とし、前記登録されたモバイルが感知されるか否かということを再判断し、前記登録されたモバイルが感知されるまで、前記第１プロセスが開始されないように制御することができる。
【００２２】
また、前記プロセッサは、前記再判断結果、前記登録されたモバイルが感知されれば、前記第１プロセスが開始されるように制御することができる。
【００２３】
前述の実施形態によれば、該ディスプレイ機器は、所定時間間隔（例えば、第１時間区間など）ごとに登録されたモバイルの感知いかんを判断し、それにより、第１プロセスが開始されたり、開始されなかったりすることにより、状況の変化（例えば、登録されたモバイルが消えたり現れたりするというような変化）に弾力的に対応することができる。
【００２４】
また、前記プロセッサは、前記第１時点から第１時間区間の間、前記登録されたモバイルが感知されるか否かということを判断し、前記判断結果、前記登録されたモバイルが感知されれば、前記第１プロセスが開始されるように制御することができる。
【００２５】
また、前記プロセッサは、前記判断結果、前記登録されたモバイルが感知されれば、前記第１時点から第２時間区間が経過した第３時点から、前記第１時間区間の間、前記登録されたモバイルが感知されるか否かということを再判断し、前記再判断結果、前記登録されたモバイルが感知されなければ、前記アンビエントサービスを終了させるための動作を遂行することができる。
【００２６】
また、前記プロセッサは、前記再判断結果、前記登録されたモバイルが存在しなければ、前記アンビエントサービスの終了を知らせる第１ユーザインターフェース画面を出力し、前記アンビエントサービスの実行を自動的に終了させることができる。
【００２７】
また、前記プロセッサは、前記再判断結果、前記登録されたモバイルが感知されなければ、前記アンビエントサービスの実行いかんを選択されるための第２ユーザインターフェース画面を出力し、前記第２ユーザインターフェース画面を介して受信されるユーザ入力に基づき、前記アンビエントサービスの終了いかんを決定することができる。
【００２８】
前述の実施形態によれば、該ディスプレイ機器は、第２ユーザインターフェース画面を出力することにより、登録されたモバイルが感知されないことにより、アンビエントサービスを終了させる場合にも、最終的なユーザの意図を確認することができる。それにより、ユーザの意図にさらに符合する方向に、アンビエントサービスの実行または終了を決定することができる。
【００２９】
また、前記プロセッサは、前記第２ユーザインターフェース画面を介して、アンビエントサービスの終了拒否に対応するユーザ入力が受信されれば、前記アンビエントサービスが維持されるように制御することができる。
【００３０】
開示された実施形態によるディスプレイ機器の制御方法は、ビオントサービスを提供することができるディスプレイ機器を制御する方法である。該ディスプレイ機器の制御方法は、第１時点において、アンビエントサービスを開始させる段階と、登録されたモバイル感知のためのスキャンを介し、前記登録されたモバイルが感知されるまで、前記アンビエントサービスを自動的にオフにするための第１プロセスが開始されないように制御する段階と、を含む。
【００３１】
以下においては、添付図面を参照し、本発明が属する技術分野で当業者が容易に実施することができるように、本発明の実施形態について詳細に説明する。しかし、本発明は、さまざまに異なる形態にも具現され、ここで説明する実施形態に限定されるものではない。そして、図面において、本発明について明確に説明するために、説明と係わりのない部分は、省略し、明細書全体を通じ、類似した部分については、類似した図面符号を付した。
【００３２】
明細書全体において、ある部分が他の部分と「連結」されているとするとき、それは、「直接連結」されている場合だけではなく、その中間に他の素子を挟み、「電気的に連結」されている場合も含む。また、ある部分がある構成要素を「含む」とするとき、それは、特別に反対となる記載がない限り、他の構成要素を除くものではなく、他の構成要素をさらに含んでもよいということを意味する。
【００３３】
本明細書において、多様なところに記載される「一部実施形態において」または「一実施形態において」というような語句は、必ずしも、いずれも同一実施形態を示すものではない。
【００３４】
一部実施形態は、機能的なブロック構成、及び多様な処理段階によっても示される。そのような機能ブロックの一部または全部は、特定機能を遂行する多様な個数のハードウェア構成及び／またはソフトウェア構成によっても具現される。例えば、本開示の機能ブロックは、１以上のプロセッサまたはマイクロプロセッサによっても具現されるか、あるいは所定機能のための回路構成によっても具現される。また、例えば、本開示の機能ブロックは、多様なプログラミング言語またはスクリプティング言語によっても具現される。該機能ブロックは、１以上のプロセッサで実行されるアルゴリズムによっても具現される。また、本開示は、電子的な環境設定、信号処理、及び／またはデータ処理などのために、従来技術を採用することができる。モジュール及び構成というような用語は、汎用され、機械的であって物理的な構成として限定されるものではない。
【００３５】
また、図面に図示された構成要素間の連結線または連結部材は、機能的な連結、及び／または物理的または回路的な連結を例示的に示したにすぎない。実際の装置においては、代替可能であったり、追加されたりする多様な機能的な連結、物理的な連結、または回路連結により、構成要素間の連結が示されうる。
【００３６】
また、「ＡとＢとのうち少なくとも一つ」という記載は、「ＡまたはＢ」または「Ａ及びＢ」を意味する。
【００３７】
以下、添付図面を参照して、本開示について詳細に説明する。
【００３８】
図１は、家庭内において、無線通信ネットワーク、例えば、ＢＬＥネットワークなどを介して連結可能な複数個の電子機器を示す図面である。図１において、ＢＬＥネットワークを介して連結可能な複数個の電子機器としては、ディスプレイ機器及びモバイル機器などが含まれる。開示された実施形態において、低いエネルギーで通信を行うネットワークの例として、ＢＬＥを例に挙げて説明する。しかし、該無線通信ネットワークは、特定ネットワークに限定されるものではなく、多様に適切なネットワークが利用されうる。
【００３９】
開示された実施形態によるディスプレイ機器は、無線通信ネットワークを介し、他の電子機器と連結可能である。具体的には、開示された実施形態によるディスプレイ機器は、無線通信ネットワーク、例えば、ＢＬＥネットワークを介し、モバイル機器とも連結される。ここで、該ＢＬＥネットワークは、ＢＬＥ信号を利用し、データまたは信号を送受信する無線ネットワークを意味する。ここで、該ＢＬＥ信号は、ＢＬＥ通信規格によって形成される信号であり、ＢＬＥパケット（ＢＬＥ packet）、ｉBeacon（登録商標、以下同様）のような多様な形態を有することができる。
【００４０】
例えば、開示された実施形態によるディスプレイ機器は、無線通信ネットワークを介し、隣接して位置する少なくとも１つの電子機器と所定データを送受信するか、隣接して位置する少なくとも１つの電子機器とペアリング（pairing）されるか、隣接して位置する少なくとも１つの電子機器を遠隔制御するか、あるいは隣接して位置する少なくとも１つの電子機器から遠隔制御されうる。ここで、該無線通信ネットワークは、ＢＬＥネットワークにもなる。
【００４１】
開示された実施形態によるディスプレイ機器は、モバイル機器とＢＬＥネットワークとを介し、ＢＬＥ信号を送受信することができる。例えば、開示された実施形態によるディスプレイ機器は、モバイル機器から送出されるＢＬＥ信号を、受信したり、スキャンしたりすることができる。また、該モバイル機器は、ディスプレイ機器にＢＬＥ信号を送信することができる。
【００４２】
図１では、開示された実施形態によるディスプレイ機器が家庭１００内の壁面に付着される形態にも配置されるディスプレイ機器１６０である場合を例として挙げて図示されている。
【００４３】
ここで、ディスプレイ機器１６０は、コンテンツ、広告及び案内情報、またはユーザインターフェース画面などを、ユーザに視覚的に出力するための装置であり、ＴＶ（television）、デジタル放送用端末機のように、多様な形態で存在しうる。また、ディスプレイ機器１６０は、冷蔵庫のような電子機器に含まれる形態（例えば、冷蔵庫の前面に挿入されるディスプレイなど）にも存在することもできるであろう。また、ディスプレイ機器１６０は、固定型として、所定空間にも配置される。
【００４４】
図１は、家庭１００の空間配置図を図示する。例えば、家庭１００内の空間は、寝室１２０，１３０、キッチン１４０及び居間１１０にも分離される。居間１１０内には、ディスプレイ機器１６０が配置されうる。
【００４５】
また、家庭内の構成員は、ディスプレイ機器１６０のユーザにもなる。図１においては、家庭内構成員が２名であり、２名の構成員、すなわち、２名のディスプレイ機器１６０のユーザそれぞれは、モバイル機器１５１，１５２を所有することができる。モバイル機器１５１または１５２とディスプレイ機器１６０は、無線通信ネットワークを介しても連結される。
【００４６】
以下においては、モバイル機器１５１，１５２のうち、モバイル機器１５２を例として挙げて説明する。モバイル機器１５２は、ウェアラブルデバイス、スマートフォン、タブレットＰＣ（personal computer）、ＰＤＡ（personal digital assistant）、ラップトップコンピュータ、メディアプレイヤ、マイクロサーバ、ＧＰＳ（global positioning system）のようなモバイルコンピュータ装置にもなる。
【００４７】
ここで、モバイル機器１５２とディスプレイ機器１６０は、家庭事物インターネット（home ＩｏＴ：home internet of things）プラットフォームによっても連結される。例えば、ディスプレイ機器１６０は、モバイル機器１５２と無線通信ネットワークを介しても相互連結される。
【００４８】
以下においては、ディスプレイ機器１６０とモバイル機器１５２とが、ＢＬＥネットワークを介して通信する場合を例として挙げて説明する。
【００４９】
開示された実施形態において、ディスプレイ機器１６０は、モバイル機器１５２の制御によっても動作される。例えば、ディスプレイ機器１６０は、モバイル機器１５２の位置を認識し、所定のサービス、例えば、アンビエントサービス、または所定の動作を自動的に遂行することができるのである。
【００５０】
モバイル機器１５２がＢＬＥ信号を送出する場合、ディスプレイ機器１６０が、モバイル機器１５２から一定距離（例えば、設定された通信範囲であり、「隣接した距離」と称することができる）内に位置する場合、ディスプレイ機器１６０は、ＢＬＥ信号を認識することができる。すなわち、ディスプレイ機器１６０は、一定距離内において、ＢＬＥ信号が送出された場合にのみ認識が可能である。以下においては、ディスプレイ機器１６０が外部の機器（例えば、モバイル機器１５２）から送出されるＢＬＥ信号を認識することができる範囲を、「ＢＬＥ認識範囲」または「ＢＬＥ信号の認識範囲」と称することができる。
【００５１】
例えば、ＢＬＥ信号の認識範囲は、１０メートル前後にもなるのである。従って、家庭１００内を外れる位置において、モバイル機器１５１がＢＬＥ信号を送出する場合、ディスプレイ機器１６０は、ＢＬＥ信号を認識することができないであろう。
【００５２】
該ＢＬＥ信号の認識範囲を利用し、ディスプレイ機器１６０は、モバイル機器１５２から送出されるＢＬＥ信号に基づき、所定動作を遂行したり、所定動作の遂行を制御したりすることができる。例えば、ディスプレイ機器１６０から提供されるアンビエントサービスは、モバイル機器１５２から送出されるＢＬＥ信号に基づいても制御される。
【００５３】
ここで、該アンビエントサービスは、ＴＶのようなディスプレイ機器１６０の新たなアプリケーションまたはサービスであり、ＴＶがオフになった場合、ブラック画面の代わりに、意味ある画面を見せるサービスである。該アンビエントサービスが実行されるディスプレイ機器１６０の画面は、以下において、図２を参照して説明する。
【００５４】
図２は、それぞれアンビエントサービスを提供するディスプレイ機器を示す図面である。図２に図示された、開示された実施形態によるディスプレイ機器２１０は、図１のディスプレイ機器１６０と対応するので、ディスプレイ機器２１０についての説明におき、図１と重複する説明は、省略する。
【００５５】
一般的に、ＴＶがオフになっている場合（ターンオフになった場合）、ＴＶは、ブラック画面に見え、いかなる映像もディスプレイされない状態になる。アンビエントサービスは、ＴＶがターンオフされた場合、ディスプレイ上に、ブラック映像の代わりに、名画、写真または時計のように、意味ある画面がディスプレイされるようにするためのサービスである。また、ユーザが、放送局などから送出される特定コンテンツを視聴しない場合、該アンビエントサービスは、ディスプレイ上に、名画、写真または時計のように意味ある画面がディスプレイされるようにする。以下においては、説明の便宜上、該アンビエントサービスが実行される間に出力される画面を「アンビエント画面」と称する。
【００５６】
図２を参照すれば、ディスプレイ機器２１０は、ディスプレイ上に、少なくとも１つの写真をディスプレイすることができる。ディスプレイ機器２１０が、少なくとも１つの写真をディスプレイし、ユーザが、ディスプレイ機器２１０を額縁として認識するようにすることができる。すなわち、図２においては、ディスプレイ機器２１０は、電子額縁として動作するように、額縁に対応する画面をディスプレイする。
【００５７】
開示された実施形態においては、ディスプレイ機器２１０から提供されるアンビエントサービスの動作を制御するために、モバイル機器から送出されるＢＬＥ信号を活用することができる。
【００５８】
以下においては、図３及び図４を参照し、ＢＬＥ信号に基づき、アンビエントサービスを制御することができるディスプレイ機器の動作について説明する。
【００５９】
図３は、ＢＬＥネットワークを介して通信を行うことができるディスプレイ機器を示す図面である。図３において、ディスプレイ機器３１０は、図２で図示したディスプレイ機器２１０にも対応する。
【００６０】
図３を参照すれば、開示された実施形態によるディスプレイ機器３１０は、モバイル機器３６０から送出されるＢＬＥ信号を認識することができる。ディスプレイ機器３１０は、常時または一定時間ごとに、ＢＬＥ信号をスキャンすることができる。または、ディスプレイ機器３１０は、ＢＬＥ信号をモバイル機器３６０に送出し、モバイル機器３６０がそれに応答し、ＢＬＥ信号をディスプレイ機器３１０に送出すれば、モバイル機器３６０から送出されるＢＬＥ信号をスキャンすることができる。ここで、該ＢＬＥ信号は、ＢＬＥパケット、ｉBeaconのように、多様な形態にも形成される。従って、ディスプレイ機器３１０がＢＬＥ信号を受信する場合、ＢＬＥパケット、ｉBeaconのような多様な形態のうちいずれか１つの形態を有するＢＬＥ信号を受信する場合をいずれも含んでもよい。
【００６１】
すなわち、モバイル機器３６０は、ＢＬＥ信号を送信する送信端として動作することができ、ディスプレイ機器３１０は、ＢＬＥ信号を受信する受信端として動作することができる。すなわち、ディスプレイ機器３１０は、ＢＬＥ信号を受信し、受信されたＢＬＥ信号によって制御される装置にもなる。例えば、ディスプレイ機器３１０は、モバイル機器３６０から受信されるＢＬＥ信号に基づき、ターンオンまたはターンオフされ、またはアンビエントサービスの実行を維持または終了させることができるのである。
【００６２】
また、以下においては、「ＢＬＥ信号を受信」する動作が、ＢＬＥ信号を所定時間間隔、または常時的な時間の間にスキャンすることにより、ＢＬＥ信号を認識する場合を含んでもよい。また、「ＢＬＥ信号を受信」する動作が、ＢＬＥ信号の受信を要請し、それに対応し、ＢＬＥ信号を受信する場合を含んでもよい。
【００６３】
例えば、送信端は、モバイル機器３６０以外にも、移動が可能な電子製品（例：スマートウォッチ、タブレットなど）であるならば、いずれでも適用可能である。また、受信端は、ディスプレイ機器３１０以外にも、ＢＬＥスキャンが可能な電子製品（例：スピーカ、冷蔵庫）に拡大適用が可能である。送信端においては、常時、または周期的な要請により、ＢＬＥ信号（例えば、ＢＬＥパケット）が送出され、受信端においては、設定された時間、または周期的な時間間隔で、ＢＬＥスキャンが行われるか、あるいは送信端であるモバイル機器３６０に、ＢＬＥ信号（例えば、ＢＬＥパケット）を要請することになる。
【００６４】
また、送信端であるモバイル機器３６０は、ＢＬＥ信号送出が可能なブルートゥース通信モジュール（図示せず）を搭載し、ＢＬＥアドバタイズメント（advertisement）設定が可能なアプリケーションによっても構成される。ここで、該ＢＬＥアドバタイズメントは、ＢＬＥ通信規格により、ＢＬＥ信号の送出、または送出されたＢＬＥ信号自体を意味することができる。該ＢＬＥアドバタイズメント設定により、ＢＬＥ信号が、パケット形態（例えば、「ＢＬＥアドバタイズパケット（advertise packet）」または「ＢＬＥアドバタイジングパケット（advertising packet）」）としても送出される。
【００６５】
また、受信端であるディスプレイ機器３１０は、ＢＬＥ信号受信のためのブルートゥース通信モジュール（図示せず）を搭載しており、受信されたＢＬＥ信号に基づき、所定動作を遂行することができる。
【００６６】
図３に図示された例においては、ＢＬＥ信号の受信可能範囲をｄ１と言い、ｄ２は、ｄ１より大きい値であり、ＢＬＥ信号の受信可能範囲を超える場合を例として挙げて図示されている。
【００６７】
図３を参照すれば、モバイル機器３６０がＰ１位置にある場合、モバイル機器３６０とディスプレイ機器３１０との距離は、ｄ１であり、ＢＬＥ信号の受信可能範囲になる。従って、モバイル機器３６０からＢＬＥ信号を送出した場合、ディスプレイ機器３１０は、スキャンを介し、モバイル機器３６０から送出されたＢＬＥ信号を受信することができる。それにより、ディスプレイ機器３１０は、アンビエントサービスを継続して行うか、あるいはアンビエントサービスの実行を開始し、ディスプレイ上に、アンビエントサービスに対応する画面（例えば、時計画面など）をディスプレイすることができる。
【００６８】
図３を参照すれば、モバイル機器３６０がＰ２に位置にある場合、モバイル機器３６０とディスプレイ機器３１０との距離はｄ２であり、ＢＬＥ信号の受信可能範囲を外れることになる。従って、モバイル機器３６０からＢＬＥ信号を送出した場合、ディスプレイ機器３１０は、スキャンを介し、モバイル機器３６０から送出されたＢＬＥ信号を受信することができない。それにより、ディスプレイ機器３１０は、アンビエントサービスの実行を終了させるか、アンビエントサービスの実行を開始しないか、あるいは実行中であったアンビエントサービスを終了させることができる。
【００６９】
図４は、開示された実施形態によるディスプレイ機器を示すブロック図である。例えば、図４は、ＢＬＥ無線ネットワークを介し、モバイル機器と通信することができる、本実施形態によるディスプレイ機器を示すブロック図である。本開示を示す図面である図４において、図３と同一の構成は、同一図面記号を利用して図示されている。
【００７０】
図４を参照すれば、開示された実施形態によるディスプレイ機器３１０は、制御部３１１（例えば、プロセッシング回路を含む制御部）、通信部３１３（例えば、通信回路を少なくとも一つ含む通信部）、メモリ３１５及びディスプレイ３１７を含む。
【００７１】
ディスプレイ３１７は、画面をディスプレイする。
【００７２】
メモリ３１５は、少なくとも１つのインストラクションを保存する。
【００７３】
通信部３１３は、通信回路（communication circuitry）を含み、少なくとも１つの無線ネットワーク（例えば、ＢＬＥネットワークなど）を介し、モバイル機器と通信を行う。
【００７４】
制御部３１１は、メモリ３１５に保存された少なくとも１つのインストラクションのうち少なくとも一つを遂行するプロセッサ（図示せず）を少なくとも一つ含む。前記プロセッサによって実行される前記少なくとも１つのインストラクションの少なくとも一つは、所定アプリケーションが実行されるとき、前記所定アプリケーションのオンまたはオフを制御するために登録されたモバイル機器が感知されないことに応答し、プロセス（例えば、「第１プロセス」と称することができる）が開始されないように制御する。ここで、該所定アプリケーションは、アンビエントサービスを提供するためのアプリケーションにもなる。従って、該所定アプリケーションをアンビエントアプリケーションと称することができる。
【００７５】
また、前記プロセッサは、前記所定アプリケーションが実行された以後、前記登録されたモバイル機器が感知されるまで、前記プロセッサが開始されないように制御することができる。また、前記プロセッサは、前記所定アプリケーションが実行された以後、前記モバイル機器が感知されることに応答し、前記プロセスが開始されるように制御することができる。
【００７６】
具体的には、プロセッサ（図示せず）は、所定アプリケーション（例えば、アンビエントアプリケーション）が開始された第１時点（例えば、図１１のｔ１）以後、登録されたモバイル（図示せず）が感知されなければ、登録されたモバイル（図示せず）が感知されるまで、所定アプリケーションを自動的に終了させるための第１プロセスが開始されないように制御することができる。すなわち、開示された実施形態において、制御部３１１は、所定アプリケーションが開始された第１時点ｔ１以後、登録されたモバイル（図示せず）が最初１回感知された場合、第１プロセスが進められるように制御することができる。例えば、制御部３１１は、アンビエントアプリケーションが開始されたときに登録されたモバイルが感知されたか、あるいは所定周期ごとに、無線信号のスキャン（例えば、ＢＬＥスキャン）を介し、登録されたモバイルを検索し、登録されたモバイルが感知された場合、自動的にアンビエントアプリケーションを終了させるためのプロセッサ（例えば、第１プロセス）を開始させることになる。
【００７７】
ここで、該第１プロセスは、登録されたモバイルを感知するためのスキャンを行った結果により、アンビエントサービスを自動的に終了させるか否かということを決定するプロセスにもなる。
【００７８】
例えば、第１プロセスは、所定時間周期（例えば、Ｐ２）ごとに、登録されたモバイルを感知するためのスキャンを行った結果により、アンビエントサービスを自動的に終了させるか否かということを決定することができる。例えば、第１プロセスが開始されれば、所定時間周期（例えば、Ｐ２）ごとにＢＬＥスキャンを行い、登録されたモバイルが感知されるか否かということにより、アンビエントサービスを自動的に終了させるか否かということを決定することができる。例えば、該第１プロセスによれば、ＢＬＥスキャンを行い、登録されたモバイルが感知されなければ、終了のための動作（例えば、終了を知らせるユーザインターフェース画面を出力する動作など）を遂行し、ＢＬＥスキャンを行い、登録されたモバイルが感知されればアンビエントサービスを維持しながら、所定時間周期（例えば、Ｐ２）後、さらにＢＬＥスキャンを行うことになる。
【００７９】
例えば、該第１プロセスは、登録されたモバイルを感知するためのスキャンを行った結果、登録されたモバイルが感知されなければ、アンビエントサービスを自動的に終了させるためのユーザインターフェース画面を出力する動作を遂行するプロセスにもなる。
【００８０】
ディスプレイ機器３１０は、無線通信ネットワーク（例えば、ＢＬＥネットワークなど）を介し、モバイル機器３６０と通信することができる。ここで、モバイル機器３６０は、制御部３６１、通信部３６３及びメモリ３６５を含んでもよい。
【００８１】
まず、モバイル機器３６０の構成及び動作について説明する。
【００８２】
制御部３６１は、少なくとも１つのプロセッサ（図示せず）を含んでもよい。また、少なくとも１つのプロセッサは、多様なプロセッシング回路を含んでもよい。そして、少なくとも１つのプロセッサそれぞれは、メモリ３６５に保存された少なくとも１つのインストラクションを実行させることにより、所定動作を遂行することができる。
【００８３】
開示された実施形態において、制御部３６１は、ＢＬＥ信号が送出されるように制御することができる。例えば、制御部３６１は、モバイル機器３６０のオペレーションシステム（ＯＳ）により、互いに異なる方式により、ＢＬＥ信号送出を制御することができる。該ＢＬＥ信号の送出方式は、以下において、図９及び図１０を参照して詳細に説明する。
【００８４】
通信部３１３は、所定の無線通信規格により、外部の電子機器（例えば、ディスプレイ機器３１０など）と無線通信を行う少なくとも１つの通信モジュール（図示せず）を含んでもよい。例えば、通信部３１３は、ＢＬＥ通信規格により、無線通信を行うブルートゥース通信モジュール（図示せず）を含んでもよい。ここで、ブルートゥース通信モジュール（図示せず）は、ＢＬＥモジュールにもなり、ＢＬＥ信号を送信または受信することができる。
【００８５】
また、通信部３６３は、多様な通信回路を含んでもよい。例えば、通信部３６３は、無線通信を行うためにブルートゥース通信モジュール（図示せず）以外にも、無線ＬＡＮ（local area network）及び有線イーサネットのような通信規格により、無線通信を行う通信モジュールを含んでもよい。ここで、無線ＬＡＮ通信モジュール（図示せず）は、Ｗｉ−Ｆｉ通信規格によって無線通信を行うＷｉ−Ｆｉ通信モジュール（図示せず）などを含んでもよいのである。
【００８６】
通信部３１３は、制御部３６１の制御により、ＢＬＥ信号を送出することができる。
【００８７】
メモリ３６５は、制御部３６１によって実行される少なくとも１つのインストラクションを保存することができる。また、所定データを保存することができる。
【００８８】
開示された実施形態において、モバイル機器３６０は、ディスプレイ機器３１０の要請により、ＢＬＥ信号を送出することができる。または、モバイル機器３６０は、一定時間間隔ごとに、ＢＬＥ信号を送出することができる。
【００８９】
続けて、開示された実施形態によるディスプレイ機器３１０の構成及び動作について説明する。
【００９０】
ディスプレイ３１７は、制御部３１１の制御により、画面をディスプレイする。ここで、該画面は、所定映像に対応する。画面上に出力される映像は、ユーザが視覚的に認識することができる全てのデータにもなる。例えば、該映像は、放送コンテンツのような動画、ゲーム、写真、時計などを示す画面などにもなる。アンビエントサービスが実行される間に出力される画面としては、名画、写真、時計、風景の画面にもなるのである。
【００９１】
具体的には、ディスプレイ３１７は、アンビエントサービスが実行される間には、アンビエントサービスに対応する画面をディスプレイすることができる。ディスプレイ３１７がターンオフされれば、ディスプレイ３１７の画面は、ブラック画面にもなる。または、ディスプレイ３１７がターンオンされた場合、すなわち、ディスプレイ機器３１０が正常モードにある場合、ディスプレイ３１７は、所定コンテンツに対応する画面をディスプレイすることができる。または、ディスプレイ３１７がターンオンされた以後、アンビエントサービスが実行中である場合、ディスプレイ３１７は、アンビエントサービスに対応する対応する画面をディスプレイすることができる。
【００９２】
メモリ３１５は、少なくとも１つのインストラクションを保存する。メモリ３１５に保存される１以上のインストラクションは、制御部３１１に含まれるプロセッサ（図示せず）を介しても実行される。
【００９３】
また、メモリ３１５は、フラッシュメモリタイプ（flash memory type）、ハードディスクタイプ（hard disk type）、マルチメディアカードマイクロタイプ（multimedia card micro type）、カードタイプのメモリ（例えば、ＳＤメモリまたはＸＤメモリなど）、ＲＡＭ（random access memory）、ＳＲＡＭ（static random access memory）、ＲＯＭ（read only memory）、ＥＥＰＲＯＭ（electrically erasable programmable read only memory）、ＰＲＯＭ（programmable read only memory）、磁気メモリ、磁気ディスク、光ディスクのうち少なくとも１つのタイプの記録媒体を含んでもよい。
【００９４】
制御部３１１は、メモリ３１５に保存された少なくとも１つのインストラクションを少なくとも一つ遂行するプロセッサ（図示せず）を少なくとも一つ含む。例えば、制御部３１１に含まれるプロセッサは、メモリ３１５に保存されている少なくとも１つのインストラクションを実行させ、所定動作を遂行することができる。また、少なくとも１つのプロセッサ（図示せず）それぞれは、制御部３１１の内部に保存された１以上のインストラクションのうち少なくとも一つを実行させることにより、所定動作を遂行することもできる。
【００９５】
また、制御部３１１に含まれる少なくとも１つのプロセッサ（図示せず）が、ディスプレイ機器３１０で遂行される動作を制御することができ、所定動作が遂行されるように、ディスプレイ機器３１０内に含まれる他の構成を制御することができる。従って、制御部３１１が所定動作が遂行されるように制御する場合を例として挙げて説明するにしても、制御部３１１に含まれる少なくとも１つのプロセッサが所定動作が遂行されるように制御することができることは、自明でもある。
【００９６】
また、制御部３１１は、内部メモリ（図示せず）、及び保存された少なくとも１つのプログラムを実行する少なくとも１つのプロセッサ（図示せず）を含んでもよい。例えば、制御部３１１の内部メモリ（図示せず）は、１以上のインストラクションを保存することができる。そして、制御部３１１に含まれる少なくとも１つのプロセッサ（図示せず）は、制御部３１１の内部メモリ（図示せず）に保存された１以上のインストラクションのうち少なくとも一つを実行し、所定動作を遂行することができる。
【００９７】
例えば、制御部３１１は、ディスプレイ機器３１０の外部から入力される信号またはデータを保存するか、あるいはディスプレイ機器３１０で遂行される多様な作業に対応する保存領域で使用されるＲＡＭ（図示せず）、ディスプレイ機器３１０の制御のための制御プログラム、及び／または複数個のインストラクションが保存されたＲＯＭ（図示せず）、並びに少なくとも１つのプロセッサ（図示せず）を含んでもよい。該プロセッサ（図示せず）は、ビデオに対応するグラフィック処理のためのグラフィックプロセッサ（ＧＰＵ：graphic processing unit）（図示せず）を含んでもよい。該プロセッサ（図示せず）は、コア（core）（図示せず）とＧＰＵ（図示せず）とを統合したＳｏＣ（system on chip）としても具現される。該プロセッサ（図示せず）は、シングルコア、デュアルコア、トリプルコア、クアッドコア、及びその倍数のコアを含んでもよい。
【００９８】
以下においては、説明の便宜上、制御部３１１が、所定動作を遂行または制御するにあたり、制御部３１１のプロセッサ（図示せず）がメモリ３１５に保存された少なくとも１つのインストラクションを実行し、所定動作を遂行する場合を例に挙げて説明する。
【００９９】
通信部３１３は、少なくとも１つの通信回路を含み、無線通信ネットワーク（例えば、ＢＬＥネットワーク４０５）を含む少なくとも１つの無線ネットワークを介し、モバイル機器３６０と通信を行うことができる。例えば、通信部３１３は、ＢＬＥネットワーク４０５を介し、ＢＬＥ信号を受信することができる。モバイル機器３６０から送出されるＢＬＥ信号を受信またはスキャンする動作は、以下において、図９及び図１０を参照して詳細に説明する。
【０１００】
開示された実施形態において、制御部３１１（特に、制御部３１１に含まれるプロセッサ（図示せず））は、第１時点ｔ１において、アンビエントサービスを開始させることができる。ここで、該アンビエントサービスは、ユーザの要請または設定によっても開始される。例えば、リモートコントロール装置（図示せず）を介して入力されるアンビエントサービスの実行を要請するユーザ入力により、制御部３１１は、アンビエントサービスを開始させることができる。または、ディスプレイ機器３１０をターンオフするように要請するユーザ入力が受信される場合、アンビエントサービスが実行されるように設定される場合、ターンオフを要請するユーザ入力に対応し、制御部３１１は、アンビエントサービスを開始させることができる。
【０１０１】
制御部３１１は、アンビエントサービスが開始された第１時点ｔ１以後、アンビエントサービスのオンまたはオフを制御するために登録されたモバイルが感知されるか否かということを判断することができる。ここで、「登録されたモバイル」は、ディスプレイ機器３１０に適法に登録を完了されたモバイル機器を称する。また、「登録されたモバイル」は、ディスプレイ機器３１０と、無線ネットワークを介し、適法にペアリングされた履歴が存在するモバイルを称することができる。ディスプレイ機器３１０において、モバイル機器を登録する動作は、以下の図７で詳細に説明する。
【０１０２】
例えば、ディスプレイ機器３１０は、ＢＬＥネットワーク４０５を介して受信されるＢＬＥ信号に基づき、登録されたモバイルが存在するか否かということを判断することができる。図３で説明されたように、ＢＬＥ認識範囲内に、登録されたモバイルが位置する場合、ディスプレイ機器３１０は、登録されたモバイルから送出されるＢＬＥ信号に基づき、登録されたモバイルを感知することができる。ここで、ディスプレイ機器３１０において、所定モバイル機器（例えば、登録されたモバイル）を感知するために、所定モバイルから送出されるＢＬＥ信号を探す動作を、スキャンまたはＢＬＥスキャンと称することができる。また、ＢＬＥ認識範囲内に、登録されたモバイルが位置しない場合、ディスプレイ機器３１０は、登録されたモバイルを感知することができない。
【０１０３】
制御部３１１は、第１時点ｔ１以後、登録されたモバイルが感知されないことに基づき、登録されたモバイルが感知されるまで、第１プロセスが開始されないように制御することができる。ここで、該第１プロセスは、アンビエントサービスを終了させるための動作を含む。例えば、該第１プロセスは、登録されたモバイルが、ディスプレイ機器３１０近辺に位置しない場合、アンビエントサービスを終了させるための動作を含む。例えば、制御部３１１は、該第１プロセスが開始されれば、アンビエントサービスの終了を知らせるユーザインターフェース画面または音声お知らせメッセージが出力されるように制御し、続いてアンビエントサービスを終了させることができる。該第１プロセスが開始されるときに出力されるユーザインターフェース画面は、以下において、図１４及び図１５を参照して詳細に説明する。
【０１０４】
開示された実施形態によれば、ディスプレイ機器３１０は、第１時点ｔ１以後、登録されたモバイルが感知されるまで、アンビエントサービスがオン状態を維持するように制御することができる。ディスプレイ機器３１０が図１で説明されたように家庭内に配置され、家庭内構成員である構成員１と構成員２とがいずれもディスプレイ機器３１０のユーザであり、構成員１、及び構成員１のモバイル機器１５１（ここで、モバイル機器１５１は、ディスプレイ機器３１０に登録されたモバイル機器である）は、ＢＬＥ認識範囲内に位置せず、構成員２及び構成員２のモバイル機器１５２は、ＢＬＥ認識範囲内に位置する場合を例に挙げる。その場合、構成員２のモバイル機器１５２がディスプレイ機器３１０に登録された機器ではないが、構成員２がアンビエント画面１１０１を視聴している場合、開示された実施形態によるディスプレイ機器３１０は、登録されたモバイルであるモバイル機器１５１が感知されないとしても、アンビエントサービスを継続して行うことができる。それにより、構成員２が、急にアンビエントサービスが終了することによって感じてしまう不便さを防止し、構成員２に対するユーザ満足度を高めることができる。
【０１０５】
すなわち、開示された実施形態においては、登録されたモバイル機器のユーザ（例えば、構成員１）ではないユーザ（例えば、構成員２）がアンビエントサービスを利用するとき、構成員２の意図と係わりなく、アンビエントサービスが終了することにより、構成員２が感じてしまう不便さを防止することにより、ユーザの意図にさらに符合する方向に、アンビエントサービスを提供させる。
【０１０６】
図５は、開示された実施形態によるディスプレイ機器を示すブロック図である。図５に図示されたディスプレイ機器５００は、図４で図示されたディスプレイ機器３１０にも対応する。また、図５に図示されたディスプレイ機器５００において、図４に図示されたディスプレイ機器３１０と同一の構成は、同一図面記号を利用して図示されている。従って、ディスプレイ機器５００についての説明にあたり、図４と重複する説明は、省略する。
【０１０７】
図５を参照すれば、ディスプレイ機器５００は、制御部３１１、通信部３１３、メモリ３１５、ディスプレイ３１７及びユーザインターフェース５５０を含む。ディスプレイ機器５００は、例えば、ＢＬＥネットワーク４０５（図４）を介し、モバイル機器３６０と通信することができる。
【０１０８】
通信部３１３は、無線通信を行うことができる少なくとも１つの通信モジュール（例えば、少なくとも１つの通信回路を含む通信モジュール）を含んでもよい。例えば、通信部３１３に含まれる通信モジュールとしては、ブルートゥースモジュール５１１及び無線通信モジュール５１２を含んでもよい。また、通信部３１３は、内部メモリ５１３を含んでもよい。
【０１０９】
ブルートゥースモジュール５１１は、ブルートゥース通信規格により、外部電子機器（図示せず）から送信されるブルートゥース信号を受信する。ここで、ブルートゥースモジュール５１１は、ＢＬＥモジュールにもなり、ＢＬＥ信号を受信することができる。
【０１１０】
例えば、ブルートゥースモジュール５１１は、ＢＬＥ信号が受信されるか否かということを感知するために、常時または一時的にＢＬＥ信号をスキャンすることができる。
【０１１１】
また、通信部３１３は、ＢＬＥ以外の無線信号を送受信することができる少なくとも１つの無線通信モジュール（図示せず）をさらに含んでもよい。例えば、通信部３１３は、無線ＬＡＮモジュール（図示せず）をさらに含んでもよい。該無線ＬＡＮモジュール（図示せず）は、Ｗｉ−Ｆｉ通信規格により、外部の電子機器（例えば、モバイル機器３６０）から送信されるＷｉ−Ｆｉ信号を受信することができる。
【０１１２】
以下においては、通信部３１３がＢＬＥモジュールによって形成され、ＢＬＥ信号を受信する場合を例として挙げて説明する。
【０１１３】
開示された実施形態において、通信部３１３は、内部に内部メモリ５１３を含んでもよい。内部メモリ５１３は、登録されたモバイルについての情報を保存してもいる。例えば、内部メモリ５１３は、登録されたモバイルを識別することができる登録されたモバイルの識別情報を保存することができる。ここで、登録されたモバイルの識別情報は、登録されたモバイルのブルートゥースＭＡＣアドレス（ＢＴ ＭＡＣ address：Bluetooth ＭＡＣ address）、またはＢＬＥ ＭＡＣアドレス（ＢＬＥ ＭＡＣ address）を含んでもよい。例えば、モバイル機器３６０から送出されるＢＬＥ信号には、モバイル機器３６０の識別情報、例えば、自体のＢＬＥ ＭＡＣアドレスが含まれもする。または、該ＢＬＥ信号には、モバイル機器３６０の識別情報を獲得するための情報が含まれもする。例えば、該ＢＬＥ信号は、モバイル機器３６０のＢＬＥ ＭＡＣアドレスに対応する任意アドレス（random address）を含んでもよい。ここで、該任意アドレスは、ＢＬＥ ＭＡＣアドレス獲得に根拠になる情報にもなる。
【０１１４】
モバイル機器３６０から送出されるＢＬＥ信号を、ブルートゥースモジュール５１１を介して受信すれば、ディスプレイ機器５００は、受信されたＢＬＥ信号に含まれるモバイル機器３６０の識別情報が、内部メモリ５１３に保存された識別情報に対応すれば、ディスプレイ機器５００は、ＢＬＥ信号を送出したモバイル機器３６０が、登録されたモバイルであると判断することができる。
【０１１５】
また、登録されたモバイルの識別情報は、内部メモリ５１３以外のディスプレイ機器５００内の他のメモリ（例えば、メモリ３１５）内にも保存される。
【０１１６】
前述のように、ディスプレイ機器５００は、内部メモリ５１３に保存された登録されたモバイルの識別情報と、受信されたＢＬＥ信号とに基づき、ＢＬＥ信号を送出したモバイル機器３６０が、登録されたモバイルであるか否かということを判断することにより、ディスプレイ機器５００が、登録されたモバイルを感知することができる。そして、制御部３１１は、アンビエントサービスが開始された第１時点ｔ１以後、登録されたモバイルが感知されるまで、アンビエントサービスがオン状態を維持するように制御することができる。すなわち、制御部３１１は、第１時点ｔ１以後、登録されたモバイルが感知されていない場合、アンビエントサービス終了のための動作を遂行する第１プロセスが開始されないようにする。それにより、開示された実施形態において、制御部３１１は、第１時点ｔ１以後、登録されたモバイルが感知されていない場合、アンビエントサービスが続けて維持されるようにするのである。
【０１１７】
ユーザインターフェース５５０は、ディスプレイ機器５００を制御するためのユーザ入力を受信することができる。ユーザインターフェース５５０は、ユーザのタッチを感知するタッチパネル、ユーザのプッシュ操作を受信するボタン、ユーザの回転操作を受信するホイール、キーボード及びドームスイッチ（dome switch）などを含むユーザ入力デバイスを含んでもよいが、それらに制限されるものではない。
【０１１８】
開示された実施形態において、制御部３１１の制御により、モバイル機器３６０とのペアリング及び／または登録のためのユーザインターフェース画面（図示せず）が出力される場合、ユーザは、ユーザインターフェース５５０を介し、モバイル機器３６０を登録するためのデータ及び／または要請を入力することができる。それにより、制御部３１１は、ユーザの入力に基づき、モバイル機器３６０とのペアリング動作及び／または登録動作を遂行することができる。
【０１１９】
また、制御部３１１の制御により、アンビエントサービスの開始または終了のためのユーザインターフェース画面（図示せず）が出力される場合、ユーザは、ユーザインターフェース５５０を介し、アンビエントサービスの開始要請または終了要請を入力することができる。
【０１２０】
図６は、開示された実施形態によるディスプレイ機器を示す他のブロック図である。
【０１２１】
図６は、開示された実施形態によるディスプレイ機器を示すブロック図である。
【０１２２】
開示された実施形態によるディスプレイ機器６００は、図１ないし図５を参照して説明されたディスプレイ機器３１０または５００にも同一対応する。それにより、ディスプレイ機器６００についての説明にあたり、図１ないし図５と重複する説明は、省略する。例えば、ディスプレイ機器６００は、無線信号であるＢＬＥ信号を受信するディスプレイ機器にもなる。
【０１２３】
図６を参照すれば、ディスプレイ機器６００は、ビデオ処理部６１０（例えば、ビデオ処理回路（processing circuitry）を含むビデオ処理部）、ディスプレイ部６１５、オーディオ処理部６２０（例えば、ビデオ処理回路を含むオーディオ処理部）、オーディオ出力部６２５、電源部６３０、チューナ部６４０、通信部６５０（例えば、多様な通信回路を含む通信部）、感知部６６０、入出力部６７０、制御部６８０（例えば、処理回路を含む制御部）及びメモリ６９０を含む。
【０１２４】
ここで、制御部６８０は、図５に図示されたディスプレイ機器５００の制御部３１１にも対応する。また、図５に図示された通信部３１３、ブルートゥースモジュール５１１、無線通信モジュール５１２、ディスプレイ３１７及びメモリ３１５は、それぞれ図６に図示されたディスプレイ機器６００の通信部６５０、ブルートゥースモジュール６５２、無線通信モジュール６５１、ディスプレイ部６１５及びメモリ６９０に対応する。従って、図６に図示されたディスプレイ機器６００についての説明にあたり、ディスプレイ機器５００の説明と重複する説明は、省略する。
【０１２５】
ビデオ処理部６１０は、ディスプレイ機器６００が受信したビデオデータに対する処理を行う。ビデオ処理部６１０においては、ビデオデータに対するデコーディング、スケーリング、ノイズフィルタリング、フレームレート変換、解像度変換のような多様なイメージ処理を行うことができる。
【０１２６】
制御部６８０は、ビデオ処理部６１０で処理されたビデオデータに対する記録要請を受信し、ビデオデータを暗号化し、メモリ６９０または制御部６８０に含まれるメモリ装置（図示せず）、例えば、ＲＡＭ（図示せず）に記録されるように制御することができるのである。
【０１２７】
ディスプレイ部６１５は、制御部６８０の制御により、チューナ部６４０を介して受信された放送信号に含まれたビデオを画面に表示する。また、ディスプレイ部６１５は、通信部６５０または入出力部６７０を介して入力されるコンテンツ（例えば、動画）を表示することができる。
【０１２８】
また、ディスプレイ部６１５は、制御部６８０の制御により、メモリ６９０に保存された映像を出力することができる。また、ディスプレイ部６１５は、音声認識に対応する音声認識タスクを遂行するための音声ＵＩ（user interface；例えば、音声インストラクションガイドを含む）、またはモーション認識に対応するモーション認識タスクを遂行するためのモーションＵＩ（例えば、モーション認識のためのユーザモーションガイドを含む）を表示することができる。
【０１２９】
オーディオ処理部６２０は、オーディオデータに対する処理を行う。オーディオ処理部６２０においては、オーディオデータに対するデコーディングや増幅やノイズフィルタリングのような多様な処理が遂行されうる。一方、オーディオ処理部６２０は、複数のコンテンツに対応するオーディオを処理するために、複数のオーディオ処理モジュールを具備することができる。
【０１３０】
オーディオ出力部６２５は、制御部６８０の制御により、チューナ部６４０を介して受信された放送信号に含まれたオーディオを出力する。オーディオ出力部６２５は、通信部６５０または入出力部６７０を介して入力されるオーディオ（例えば、音声、サウンド）を出力することができる。また、オーディオ出力部６２５は、制御部６８０の制御により、メモリ６９０に保存されたオーディオを出力することができる。オーディオ出力部６２５は、スピーカ６２６、ヘッドフォン出力端子６２７またはＳ／ＰＤＩＦ（Sony/Philips digital interface）出力端子６２８のうち少なくとも一つを含んでもよい。オーディオ出力部６２５は、スピーカ６２６、ヘッドフォン出力端子６２７及びＳ／ＰＤＩＦ出力端子６２８の組み合わせを含んでもよい。
【０１３１】
電源部６３０は、制御部６８０の制御により、ディスプレイ機器６００内部の構成要素（オーディオ処理部６１０ないしメモリ６９０）に外部の電源ソースから入力される電源を供給する。また、電源部６３０は、制御部６８０の制御により、ディスプレイ機器６００内部に位置する１、または２以上のバッテリ（図示せず）から出力される電源を、内部の構成要素（オーディオ処理部６１０ないしメモリ６９０）に供給することができる。
【０１３２】
チューナ部６４０は、有線または無線で受信される放送信号を、増幅（amplification）、混合（mixing）、共振（resonance）などを介し、多くの電波成分のうち、ディスプレイ機器６００で受信するチャネルの周波数のみをチューニングさせて選択することができる。該放送信号は、オーディオデータ、ビデオ及び付加情報（例えば、ＥＰＧ（electronic program guide））を含む。
【０１３３】
チューナ部６４０は、ユーザ入力（例えば、外部の制御装置（図示せず）またはリモートコントロール装置（図示せず））から受信される制御信号、例えば、チャネル番号入力、チャネルのアップダウン入力及びＥＰＧ画面におけるチャネル入力）により、チャネル番号（例えば、ケーブル放送５０６番）に対応する周波数帯域において、放送信号を受信することができる。
【０１３４】
チューナ部６４０は、地上波放送、ケーブル放送、衛星放送、インターネット放送のような多様なソースから、放送信号を受信することができる。チューナ部６４０は、アナログ放送またはデジタル放送のようなソースから、放送信号を受信することもできる。チューナ部６４０を介して受信された放送信号は、デコーディング（例えば、オーディオデコーディング、ビデオデコーディングまたは付加情報デコーディング）され、オーディオデータ、ビデオ及び／または付加情報に分離される。分離されたオーディオデータ、ビデオ及び／または付加情報は、制御部６８０の制御により、メモリ６９０にも保存される。
【０１３５】
ディスプレイ機器６００のチューナ部６４０は、一つでもあり、複数でもある。一実施形態により、チューナ部６４０が複数個によってなる場合、ディスプレイ部６１５に提供されるマルチウィンドウ画面をなす複数個のウィンドウに、複数個の放送信号を出力することができるのである。
【０１３６】
チューナ部６４０は、ディスプレイ機器６００と一体型（all-in-one）にも具現され、あるいはディスプレイ機器６００と電気的に連結されるチューナ部を有する別個の装置（例えば、セットトップボックス（set-top box）（図示せず）や、入出力部６７０に連結されるチューナ部（図示せず）としても具現される。
【０１３７】
通信部６５０は、制御部６８０の制御により、ディスプレイ機器６００を、外部装置（例えば、オーディオ装置など）と連結することができる。制御部６８０は、通信部６５０を介して連結された外部装置に／からコンテンツを送／受信したり、外部装置からアプリケーション（application）をダウンロードしたり、ウェブブラウジングを行ったりすることができる。例えば、通信部６５０は、ネットワークに接続し、外部装置（図示せず）からコンテンツを受信することができる。
【０１３８】
前述のように、通信部６５０は、近距離通信モジュール（図示せず）、有線通信モジュール（図示せず）及び移動通信モジュール（図示せず）のうち少なくとも一つを含んでもよい。
【０１３９】
図６においては、通信部６５０が、無線通信モジュール６５１、ブルートゥースモジュール６５２及び有線イーサネット（Ethernet）６５３のうち一つを含む場合を例として挙げて図示されている。
【０１４０】
また、通信部６５０は、無線通信モジュール６５１、ブルートゥースモジュール６５２及び有線イーサネット６５３の組み合わせを含んでもよい。また、通信部６５０は、制御部６８０の制御により、制御装置（図示せず）の制御信号を受信することができる。該制御信号は、ブルートゥースタイプ、ＲＦ信号タイプまたはＷｉ−Ｆｉタイプにも具現される。
【０１４１】
開示された実施形態において、ブルートゥースモジュール６５２は、ＢＬＥ通信規格によるＢＬＥ信号を送信または受信することができる。
【０１４２】
通信部６５０は、ブルートゥース以外に、他の近距離通信（例えば、ＮＦＣ（near field communication）（図示せず）、別途のＢＬＥモジュール（図示せず）をさらに含んでもよい。
【０１４３】
感知部６６０は、ユーザの音声、ユーザの映像、またはユーザのインタラクションを感知する。
【０１４４】
マイク６６１は、ユーザの発話（utterance）された音声を受信する。マイク６６１は、受信された音声を電気信号に変換し、制御部６８０に出力することができる。該ユーザ音声は、例えば、ディスプレイ機器６００のメニューまたは機能に対応する音声を含んでもよい。例えば、マイク６６１の認識範囲は、マイク６６１からユーザ位置まで４ｍ以内が望ましく、マイク６６１の認識範囲は、ユーザ音声の大きさと、周辺環境（例えば、スピーカ音、周辺騒音）に対応しても異なる。
【０１４５】
マイク６６１は、ディスプレイ機器６００と、一体型または分離型にも具現される。分離されたマイク６６１は、通信部６５０または入出力部６７０を介し、ディスプレイ機器６００と電気的にも連結される。
【０１４６】
ディスプレイ機器６００の性能及び構造により、マイク６６１が除かれうるということは、当該技術分野で当業者に容易に理解されるであろう。
【０１４７】
カメラ部６６２は、カメラ認識範囲において、ジェスチャを含むユーザのモーションに対応する映像（例えば、連続フレーム）を受信する。例えば、カメラ部６６２の認識範囲は、カメラ部６６２からユーザまで０．１〜５ｍ以内距離にもなる。ユーザモーションは、例えば、ユーザの顔、表情、手、拳、指のようなユーザの身体一部分、またはユーザ一部分のモーションなどを含んでもよい。カメラ部６６２は、制御部６８０の制御により、受信された映像を電気信号に変換し、制御部６８０に出力することができる。
【０１４８】
制御部６８０は、受信されたモーションの認識結果を利用し、ディスプレイ機器６００に表示されるメニューを選択したり、モーション認識結果に対応する制御を行ったりすることができる。例えば、チャネル調整、ボリューム調整、指示子移動を含んでもよい。
【０１４９】
カメラ部６６２は、レンズ（図示せず）及びイメージセンサ（図示せず）によっても構成される。カメラ部６６２は、複数のレンズとイメージプロセッシングとを利用し、光学ズーム（optical zoom）またはデジタルズーム（digital zoom）を支援することができる。カメラ部６６２の認識範囲は、カメラ部６６２の角度及び周辺環境条件によっても多様に設定される。カメラ部６６２が複数個のカメラによって構成される場合、複数のカメラを利用し、三次元静止イメージまたは三次元モーションを受信することができる。
【０１５０】
カメラ部６６２は、ディスプレイ機器６００と一体型または分離型に具現されることができる。分離したカメラ部６６２を含む別途の装置（図示せず）は、通信部６５０または入出力部６７０を介してディスプレイ機器６００と電気的に連結されることができる。
ディスプレイ機器６００の性能及び構造により、カメラ部６６２が除外されうるということは、当該技術分野で当業者に容易に理解されるのである。
【０１５１】
光受信部６６３は、外部の制御装置（図示せず）から受信される光信号（制御信号を含む）を、ディスプレイ部６１５ベゼルの光窓（図示せず）などを介して受信する。光受信部６６３は、制御装置（図示せず）から、ユーザ入力（例えば、タッチ、押し、タッチジェスチャ、音声またはモーション）に対応する光信号を受信することができる。受信された光信号から、制御部６８０の制御により、制御信号が抽出されうる。
【０１５２】
例えば、光受信部６６３は、制御装置（図示せず）のポインティング位置に対応する信号を受信し、それを制御部６８０に伝送することができる。例えば、ディスプレイ部６１５を介し、ユーザから、データまたは命令を入力されるためのユーザインターフェース画面が出力され、制御装置（図示せず）を介し、ユーザが、データまたは命令をディスプレイ機器６００に入力する場合、光受信部６６３は、ユーザが、制御装置（図示せず）に設けられたタッチパッド（図示せず）に指を接触させた状態で制御装置（図示せず）を動かせば、該制御装置（図示せず）の動きに対応する信号を受信し、それを制御部６８０で伝送することができる。また、光受信部６６３は、制御装置（図示せず）に設けられた特定のボタンが押さられたことを示す信号を受信し、それを制御部６８０で伝送することができる。例えば、光受信部６６３は、ユーザが、制御装置（図示せず）にボタン式に設けられたタッチパッド（図示せず）を指で押せば、そのようなボタン式タッチパッド（図示せず）が押されたという信号を受信し、それを制御部６８０に伝送することができる。例えば、ボタン式タッチパッド（図示せず）が押されたという信号は、アイテムのうち一つを選択するための信号としても利用される。
【０１５３】
入出力部６７０は、制御部６８０の制御により、ディスプレイ機器６００の外部から、ビデオ（例えば、動画など）、オーディオ信号（例えば、音声、音楽など）及び付加情報（例えば、ＥＰＧなど）などを受信する。入出力部６７０は、ＨＤＭＩ（登録商標）ポート（high-definition multimedia interface port）６７１、コンポーネントジャック（component jack）６７２、ＰＣポート６７３及びＵＳＢポート６７４のうち一つを含んでもよい。入出力部６７０は、ＨＤＭＩ（登録商標）ポート６７１、コンポーネントジャック６７２、ＰＣポート６７３及びＵＳＢポート６７４の組み合わせを含んでもよい。
【０１５４】
入出力部６７０の構成及び動作は、本発明の実施形態によって多様にも具現されるということは、当該技術分野の当業者に容易に理解されるであろう。
【０１５５】
制御部６８０は、ディスプレイ機器６００の全般的な動作、及びディスプレイ機器６００の内部構成要素（図示せず）間の信号フローを制御し、データを処理する機能を遂行する。制御部６８０は、ユーザの入力があるか、あるいは既設定の保存された条件を満足する場合、制御部６８０は、メモリ６９０に保存されたＯＳ、及び多様なアプリケーションを実行することができる。
【０１５６】
制御部６８０は、ディスプレイ機器６００の外部から入力される信号またはデータを保存するか、あるいはディスプレイ機器６００で遂行される多様な作業に対応する保存領域で使用されるＲＡＭ（図示せず）、ディスプレイ機器６００制御のための制御プログラムが保存されたＲＯＭ（図示せず）、及びプロセッサ（図示せず）を含んでもよい。
【０１５７】
該プロセッサ（図示せず）は、ビデオに対応するグラフィック処理のためのグラフィックプロセッサ（ＧＰＵ）（図示せず）を含んでもよい。該プロセッサ（図示せず）は、コア（図示せず）とＧＰＵ（図示せず）とを統合したＳｏＣとしても具現される。該プロセッサ（図示せず）は、シングルコア、デュアルコア、トリプルコア、クアッドコア、及びその倍数のコアを含んでもよい。
【０１５８】
また、該プロセッサ（図示せず）は、複数のプロセッサを含んでもよい。例えば、該プロセッサ（図示せず）は、メインプロセッサ（図示せず）及びスリープモードで動作するサブプロセッサ（図示せず）によっても具現される。
【０１５９】
該グラフィック処理部（図示せず）は、演算部（図示せず）及びレンダリング部（図示せず）を利用し、アイコン、イメージ、テキストのような多様な客体を含む画面を生成する。該演算部は、感知部６６０を介して感知されたユーザインタラクションを利用し、画面のレイアウトにより、各客体が表示される座標値、形態、大きさ、カラーのような属性値を演算する。該レンダリング部は、演算部で演算された属性値に基づき、客体を含む多様なレイアウトの画面を生成する。該レンダリング部で生成された画面は、ディスプレイ部６１５のディスプレイ領域内に表示される。
【０１６０】
図７は、開示された実施形態によるディスプレイ機器とモバイル機器とのペアリング動作について説明するための図面である。図７において、モバイル機器３６０及びディスプレイ機器３１０は、図３で説明されたモバイル機器３６０及びディスプレイ機器３１０に同一対応し、同一構成につき、同一図面記号を利用して図示されている。従って、図３と重複する説明は、省略する。また、図７で図示されたディスプレイ機器３１０は、図５で説明されたディスプレイ機器５００にも対応する。
【０１６１】
ディスプレイ機器３１０は、モバイル機器３６０の登録のためにペアリングを行うことができる。例えば、ディスプレイ機器３１０は、モバイル機器３６０の登録のために、ＢＬＥペアリングを行うことができる。
【０１６２】
該ＢＬＥペリングは、要請段階（Phase １）（Ｓ２１、Ｓ２２）、キー合意段階（Phase ２）（Ｓ２３）及びキー交換段階（Phase ３）（Ｓ２４、Ｓ２５）にも区分される。
【０１６３】
ＢＬＥペリングの初段階である（Phase １）においては、ペアリング要請と応答とがなされる。例えば、モバイル機器３６０は、ペアリングを要請する信号をディスプレイ機器３１０に送信し（Ｓ２１）、ディスプレイ機器３１０は、要請に応答してペアリングを承諾する応答を、モバイル機器３６０で伝送することができる。
【０１６４】
２番目段階（Phase ２）は、保安を維持するように、保安チャネル（secure channel）を生成する段階である。例えば、２番目段階（Phase ２）においては、２つの機器であるモバイル機器３６０とディスプレイ機器３１０との間にＳＴＫ（short-term key）を生成し、臨時に使用する保安チャネルを生成する。
【０１６５】
後続する３番目段階（Phase ３）においては、ＢＬＥペリング時に使用する保安キーを共有する段階である。例えば、ＢＬＥペリングが行われた以後、モバイル機器３６０から送出される任意アドレスを、本来のアドレスである、ＢＬＥペリング時に送信されたアドレスである「ＢＬＥアドレス」に変換するために利用されるＩＲＫ（identity resolving key）が交換されうる。例えば、実際のＢＬＥペリングのためのキー（ＬＴＫ（long-term key）、ＩＲＫ、ＣＳＲＫ：connection signature resolving key））が共有されれば、ＢＬＥペリングが完了する。ここで、ＢＬＥペリング時に送信された情報、例えば、ＢＬＥアドレス、キー（ＬＴＫ、ＩＲＫ、ＣＳＲＫ）などは、通信部３１３の内部メモリ５１３（図５）にも保存される。また、前述の「任意アドレス」は、モバイル機器３６０から送出されるＢＬＥ信号にも含まれる。また、「ＢＬＥアドレス」は、前述のＢＬＥ ＭＡＣアドレスにもなる。
【０１６６】
例えば、（Phase １）において、モバイル機器３６０は、ペアリングを要請する信号をディスプレイ機器３１０に送信するとき（Ｓ８２１）、モバイル機器３６０は、ＢＬＥ信号を送信する機器を識別するための「ＢＬＥアドレス」をディスプレイ機器３１０に送信することができる。ここで、該ＢＬＥアドレスは、ＢＬＥ信号を送出するモバイル機器３６０の出処を知るようにする、モバイル機器３６０を識別するための固有（unique）値を含んでもよい。例えば、該ＢＬＥアドレスは、ディスプレイ機器３１０と、ＢＬＥ通信ネットワークを介して連結されるモバイル機器３６０を識別する情報にもなる。例えば、該ＢＬＥアドレスは、モバイル機器３６０のＢＬＥ ＭＡＣアドレスを含んでもよい。従って、以下においては、「ＢＬＥ識別情報」がＢＬＥ ＭＡＣアドレスである場合を例として挙げて説明する。
【０１６７】
前述の図７におけるペアリング動作は、ブルートゥース（ＢＴ）通信規格による動作である。また、モバイル機器３６０とディスプレイ機器３１０とがペアリングされるにあたり、図７で説明された方法以外にも、周知の他のペアリング方法が使用されうるということは、言うまでもない。
【０１６８】
２つの機器間のペアリング動作において、２つの機器は、互いの情報を共有する。このとき、モバイル機器３６０は、自体のオペレーションシステム（ＯＳ）タイプについての情報（例えば、Android、ｉＯＳなど）をディスプレイ機器３１０で伝送することができる。
【０１６９】
ペアリング動作が完了すれば、ディスプレイ機器３１０は、モバイル機器３６０を、登録されたモバイルと認識することができる。
【０１７０】
開示された実施形態において、受信端であるディスプレイ機器３１０において、ＢＬＥペリング時点において、モバイル機器３６０の識別情報（例えば、ＢＬＥアドレス）を保存し、後続して送信される任意アドレスである任意ＢＬＥアドレスを含むＢＬＥ信号（例えば、ＢＬＥパケット）の区別に使用することができる。すなわち、ディスプレイ機器３１０は、ペアリング動作が完了することにより、保存されるモバイル機器３６０の識別情報に基づき、後続する時点において受信されるＢＬＥ信号をスキャンし、スキャンされたＢＬＥ信号に基づき、ＢＬＥ信号を送出したモバイル機器３６０が、登録されたモバイルあるかということを判断することができる。
【０１７１】
図８は、開示された実施形態によるディスプレイ機器の制御方法を示すフローチャートである。また、図８に図示されたディスプレイ機器の制御方法８００を示すフローチャートは、図１ないし図７を参照して説明された開示された実施形態によるディスプレイ機器３１０，５００または６００で遂行される動作に対応する。従って、ディスプレイ機器の制御方法８００に含まれる動作構成は、図１ないし図７を参照して説明されたディスプレイ機器３１０，５００または６００で遂行される動作にも対応する。それにより、ディスプレイ機器の制御方法８００についての説明にあたり、図１ないし図７と重複する説明は、省略する。
【０１７２】
また、以下においては、ディスプレイ機器の制御方法８００が、図３に図示されたディスプレイ機器３１０を介して遂行される場合を例として挙げて説明される。
【０１７３】
ディスプレイ機器３１０の制御方法８００は、所定アプリケーション（例えば、アンビエントサービスまたはアンビエントアプリケーション）を提供することができるディスプレイ機器３１０の制御方法である。
【０１７４】
ディスプレイ機器の制御方法８００において、所定アプリケーションの実行が開始される。具体的には、ディスプレイ機器の制御方法８００において、第１時点ｔ１において、アンビエントアプリケーションが開始される（Ｓ８１０）。Ｓ８１０段階の動作は、ディスプレイ機器３１０の制御部３１１の制御によっても遂行される。例えば、制御部３１１（例えば、制御部３１１に含まれるプロセッサ（図示せず））は、第１時点ｔ１において、アンビエントサービスを開始させることができる。
【０１７５】
そして、ディスプレイ機器（例えば、３１０）の制御方法８００において、登録されたモバイルが感知されるまで、前記所定アプリケーションを自動的に終了させるためのプロセスが開始されないように制御される。例えば、ディスプレイ機器３１０の制御方法８００において、ｔ１時点以後に登録されたモバイルが感知されるまで、プロセス（例えば、第１プロセス）が開始されないように制御されうる（Ｓ８２０）。Ｓ８２０段階の動作は、ディスプレイ機器３１０の制御部３１１の制御によっても遂行される。例えば、制御部３１１は、無線通信スキャン（例えば、ＢＬＥスキャン）を行うことができる。そして、ＢＬＥスキャンを介し、登録されたモバイルが感知されるまで、アンビエントサービスを自動的にオフにするための第１プロセスが開始されないように制御することができる。
【０１７６】
例えば、ディスプレイ機器３１０は、ディスプレイ機器３１０に登録されたモバイルから送出されるＢＬＥ信号に基づき、アンビエントサービスの開始及び／または終了を制御することができる。例えば、ディスプレイ機器３１０のＢＬＥ信号認識範囲内において感知されるＢＬＥ信号に基づき、ディスプレイ機器３１０は、アンビエントサービスの開始及び／または終了を制御することができる。
【０１７７】
図１を参照すれば、ディスプレイ機器１６０は、家庭内で利用される場合が多く、家庭内構成員は、多数にもなる。すなわち、ディスプレイ機器１６０のユーザは、多数の家庭内構成員にもなる。家庭内構成員１がモバイル機器１５１を所有し、家庭内構成員２がモバイル機器１５２を所有しているとする。そして、ディスプレイ機器１６０にモバイル機器１５１だけが登録されており、モバイル機器１５２は、登録されていないとする。
【０１７８】
アンビエントサービスが開始されれば、ディスプレイ機器１６０は、アンビエント画面をディスプレイする。そして、ディスプレイ機器１６０は、所定周期間隔でＢＬＥスキャンを行い、登録されたモバイルが存在するか否かということを判断することができる。該ＢＬＥスキャン結果、登録されたモバイルが、ディスプレイ機器の周辺（例えば、ディスプレイ機器のＢＬＥ認識範囲内の空間）に位置しない場合、一般的なディスプレイ機器は、アンビエントサービスを終了させてしまう。そして、該ＢＬＥスキャン結果、登録されたモバイルがディスプレイ機器の周辺（例えば、ディスプレイ機器のＢＬＥ認識範囲内の空間）に位置する場合、一般的なディスプレイ機器は、アンビエントサービスを維持することができる。
【０１７９】
前述の場合、登録されたモバイルは、モバイル機器１５１だけであるので、モバイル機器１５２が、ＢＬＥ認識範囲内の空間に位置するとしても、ディスプレイ機器の周辺に、登録されたモバイルであるモバイル機器１５１が存在しない場合、該ディスプレイ機器は、アンビエントサービスを終了させることになる。また、モバイル機器１５２が、ＢＬＥ認識範囲内の空間に位置するということは、モバイル機器１５２のユーザである家庭内構成員２が、ＢＬＥ認識範囲内の空間に位置するということを意味しうる。すなわち、家庭内構成員２がＢＬＥ認識範囲内の空間に位置し、アンビエント画面を視聴しているとしても、一般的なディスプレイ機器は、登録されたモバイルであるモバイル機器１５１が存在しないと判断し、アンビエントサービスを終了させるのである。その場合、家庭内構成員２は、アンビエント画面を視聴していて、アンビエント画面を自体の意図と係わりなく視聴することができなくなる。従って、家庭内構成員２は、不便さを感じてしまう。
【０１８０】
前述の問題点を克服し、ディスプレイ機器のユーザの意図にさらに符合する方向に、アンビエントサービスの実行を制御するために、開示された実施形態は、登録されたモバイルが感知されるまで、前記アンビエントサービスを自動的に終了させるための第１プロセスが開始されないように制御する。それにより、ディスプレイ機器の多数のユーザに対するユーザ利便性を高めることができる。
【０１８１】
図１ないし図８を参照して説明された開示された実施形態によるディスプレイ機器及びその制御方法は、登録されたユーザが、ディスプレイ機器の周辺に位置しないときにも、アンビエントアプリケーションの実行を終了せず、アンビエントサービスを維持するようにする。それにより、登録されたユーザ以外のユーザが、アンビエントサービスを提供されうるようにすることにより、ユーザの満足度を増大させることができる。
【０１８２】
以下においては、図９ないし図１５を参照し、ユーザ利便性を高めることができる開示された実施形態による具体的な動作について詳細に説明する。
【０１８３】
図９は、第１オペレーションシステムを有するモバイル機器とペアリングされるディスプレイ機器で実行されるアンビエントサービスの動作について説明するための図面である。例えば、第１オペレーションシステムは、Androidオペレーションシステムを有するモバイル機器を認識するためのＢＬＥスキャン動作について説明する。
【０１８４】
図９においては、ディスプレイ機器３１０が、アンビエントサービスが実行中である場合を例として挙げて図示されている。例えば、ディスプレイ機器３１０は、第１時点ｔ１からアンビエントサービスを開始させることができる。それにより、ディスプレイ機器３１０は、ディスプレイ画面９０１上に、アンビエント画面である時計画面を出力することができる。
【０１８５】
図９を参照すれば、Androidオペレーションシステムを有するモバイル機器３６０は、所定時間間隔ごとに、ＢＬＥアドバタイズメント９０５を送出する（Ｓ９１０）。例えば、モバイル機器３６０は、１秒間隔で、ＢＬＥアドバタイズメント９０５を送出することができる。Androidオペレーションシステムを有するモバイル機器３６０は、常時ＢＬＥアドバタイズメントが可能である。そのような場合、モバイル機器３６０のバッテリ寿命を考慮し、１秒に１回ずつＢＬＥアドバタイズメントが遂行されるようにするのである。
【０１８６】
それにより、ディスプレイ機器３１０は、所定時間間隔で、ＢＬＥ信号またはＢＬＥパケットが受信されるか否かということをスキャンまたはチェックすることができる（Ｓ９２０）。ここで、ＢＬＥ信号またはＢＬＥパケットが受信されるか否かということをスキャンまたはチェックする動作を、「ＢＬＥスキャン」と称することができる。例えば、ディスプレイ機器３１０は、１５分間隔で、ＢＬＥ信号またはＢＬＥパケットが受信されるか否かということをスキャンまたはチェックすることができる。また、ディスプレイ機器３１０は、１５分間隔で１分間、スキャン動作またはチェック動作を遂行することができる。例えば、ディスプレイ機器３１０は、ｔ１時点から１分間、ＢＬＥスキャンを行い、ｔ１時点から１５分が経過した後、さらに１分間、ＢＬＥスキャンを行うことができる。Ｓ９２０の動作は、通信部３１３において、ＢＬＥ信号またはＢＬＥパケットの受信をチェックすることによっても遂行される。
【０１８７】
続けて、ディスプレイ機器３１０は、受信されたＢＬＥパケットを利用し、ＢＬＥパケットを送信したモバイル機器３６０が、ディスプレイ機器３１０に登録されたモバイルであるか否かということを判断し、該判断結果により、アンビエントサービスの実行を維持させることができる（Ｓ９３０）。ここで、該ＢＬＥパケットは、プレゼンス（presence）を含み、プレゼンス内において、モバイル機器３６０の識別情報、例えば、モバイル機器３６０の任意アドレスを含んでもよい。ディスプレイ機器３１０は、ＢＬＥペリング段階で獲得されたＩＲＫを利用し、受信された任意アドレス値を、本来のアドレスであるＢＬＥペリング時に送信されたアドレスである「ＢＬＥアドレス」に変換することができる。そして、変換されたＢＬＥアドレスを利用し、モバイル機器３６０の登録いかんを判断することができる。ここで、該ＢＬＥアドレスは、ＢＬＥ ＭＡＣアドレスにもなる。
【０１８８】
また、Ｓ９２０動作及びＳ９３０動作は、制御部３１１、例えば、制御部３１１に含まれるプロセッサ（図示せず）の制御によっても遂行される。
【０１８９】
前述のように、ディスプレイ機器３１０は、必要な時点、例えば、１５分間隔を有する所定時間区間の間、ＢＬＥスキャンを行い、ディスプレイ機器３１０の近辺に、登録されたモバイルが存在するか否かということを確認することができる。
【０１９０】
登録されたモバイルがディスプレイ機器３１０の近辺に位置すれば、ユーザの存在が確認されたと判断し、画面を続けてオオンにしておく。すなわち、ディスプレイ機器３１０は、アンビエントサービスを維持させ（Ｓ９３０）、それにより、アンビエント画面９０１が続けて出力される。また、ディスプレイ機器３１０は、次の周期（例えば、１５分）に、さらにＢＬＥスキャンを行い、画面位置判断を行うことができる。
【０１９１】
図１０は、第１オペレーションシステムとは異なる第２オペレーションシステムを有するモバイル機器とペアリングされるディスプレイ機器で実行されるアンビエントサービスの動作について説明するための図面である。ここで、該第２オペレーションシステムは、ｉＯＳオペレーションシステムにもなる。そして、ｉＯＳオペレーションシステムを有するモバイル機器３６０で／から受信または送信されるＢＬＥ信号は、ｉBeaconにもなる。
【０１９２】
制御部３１１は、登録されたモバイル機器が、ｉＯＳオペレーションシステムを有する場合、所定時間間隔で、モバイル機器３６０の識別情報の送信を要請する第１ ｉBeacon信号をモバイル機器３６０で伝送することができる（Ｓ１０１０）。
【０１９３】
モバイル機器３６０は、ディスプレイ機器３１０から送出される第１ ｉBeaconを受信すれば、それに応答し（Ｓ１０２０）、モバイル機器３６０の識別情報を含むｉBeaconを、ディスプレイ機器３１０に送信することができる（Ｓ１０３０）。
【０１９４】
例えば、ｉＯＳオペレーションシステムを有するモバイル機器３６０は、ディスプレイ機器３１０から伝送される第１ ｉBeaconを受信することにより、トリガ（trigger）され、モバイル機器３６０の識別情報を含む第２ ｉBeaconをディスプレイ機器３１０に送信することができる（Ｓ１０２０、Ｓ１０３０）。ここで、モバイル機器３６０の識別情報は、ＢＬＥ識別情報であるＢＬＥ ＭＡＣアドレスまたは任意アドレスを含んでもよい。
【０１９５】
それにより、ディスプレイ機器３１０は、モバイル機器３６０の識別情報を含む第２ ｉBeacon信号の受信いかんをチェックするように、通信部３１３を制御することができる。それにより、ディスプレイ機器３１０は、登録されたモバイル機器が近接しているか否かということを判断することができる。登録されたモバイル機器が近接している場合の後続動作（例えば、アンビエントサービスの実行を維持する動作（Ｓ１０４０））は、図９のＳ９３０動作と同一対応する。
【０１９６】
また、ディスプレイ機器３１０が、モバイル機器３６０に第１ ｉBeaconを送信する周期は、多様にも決定される。例えば、ディスプレイ機器３１０は、モバイル機器３６０に、１５０ｍｓ周期でｉBeaconを送信することができ、それにより、モバイル機器３６０が応答を送れば、ディスプレイ機器３１０は、応答が到着したか否かということの確認を３秒間隔で行うことができる。
【０１９７】
図９及び図１０で説明されたように、ディスプレイ機器３１０は、モバイル機器３６０から受信されるＢＬＥ信号を感知するＢＬＥスキャンを行い、登録されたモバイルが感知されるか否かということを判断することができる。従って、該ＢＬＥスキャン遂行は、登録されたモバイルが感知されるか否かということを判断する動作にも対応する。
【０１９８】
図１１ないし図１３では、ＢＬＥスキャンが「スキャン」と図示されている。
【０１９９】
以下においては、図１１ないし図１３に図示された動作についての説明にあたり、図３に図示されたディスプレイ機器３１０を参照する。
【０２００】
図１１は、開示された実施形態によるディスプレイ機器で遂行されるアンビエントサービスの制御動作について説明するための図面である。
【０２０１】
制御部３１１は、アンビエントサービスが開始された第１時点ｔ１以後、アンビエントサービスのオンまたはオフを制御するために登録されたモバイルが感知されなければ、登録されたモバイルが感知されるまで、アンビエントサービスを自動的に終了させるための第１プロセスが開始されないように制御することができる。
【０２０２】
図１１を参照すれば、第１時点ｔ１からアンビエントサービスが開始され、ディスプレイ機器３１０は、アンビエントサービスが開始される第１時点ｔ１から、アンビエント画面１１０１をディスプレイする。
【０２０３】
ディスプレイ機器３１０は、第１時点ｔ１から第２時点（ｔ２）までの時間区間である第１時間区間Ｐ１の間、ＢＬＥスキャン１１２０を行うことができる。
【０２０４】
ＢＬＥスキャン１１２０の結果、登録されたモバイルが感知されなければ（Ｓ１１１０）、ディスプレイ機器３１０は、第１時点ｔ１以後、前記登録されたモバイルが感知されるまで、アンビエントサービスがオン状態を維持するように制御することができる。
【０２０５】
図１１を参照すれば、該ＢＬＥスキャンは、第２時間区間Ｐ２を周期としても行われる。例えば、第１時間区間Ｐ１は、１分にも設定され、第２時間区間Ｐ２は、１５分にも設定される。その場合、該ＢＬＥスキャンは、１５分間隔で１分間、行われうる。
【０２０６】
開示された実施形態において、制御部３１１、例えば、制御部３１１に含まれるプロセッサ（図示せず）は、第１時点ｔ１から第１時間区間Ｐ１の間、登録されたモバイルが感知されるか否かということを判断し、該判断結果、登録されたモバイルが感知されなければ、第１時点ｔ１から第２時間区間Ｐ２が経過した後、登録されたモバイルが感知されるか否かということを再判断することができる。すなわち、プロセッサ（図示せず）は、第１時点ｔ１から第２時間区間Ｐ２が経過した第３時点ｔ３から第１時間区間Ｐ１の間、登録されたモバイルが感知されるか否かということを再判断することができる。
【０２０７】
続けて、制御部３１１、例えば、制御部３１１に含まれるプロセッサ（図示せず）は、再判断結果、登録されたモバイルが感知されなければ、第２時間区間Ｐ２を周期とし、登録されたモバイルが感知されるか否かということを再判断し、登録されたモバイルが存在するまで、第１プロセスが開始されないように制御することができる。すなわち、制御部３１１は、登録されたモバイルが感知されるまで、第２時間区間Ｐ２の間隔で、ＢＬＥスキャンを行い、登録されたモバイルが感知されるか否かということを反復して判断することができる。
【０２０８】
図１１を参照すれば、アンビエントサービスが開始されれば、ディスプレイ機器３１０は、第１時間区間Ｐ１の間、ＢＬＥスキャン１１２０を行い、登録されたモバイルが存在するか否かということを判断することができる。ＢＬＥスキャン１１２０の結果、登録されたモバイルが感知されていないので（Ｓ１１１０）、ディスプレイ機器３１０は、アンビエントサービスがオン状態を維持するようにすることができる。例えば、ディスプレイ機器３１０は、後続するＢＬＥスキャンを介し、登録されたモバイルが感知されるまで、アンビエントサービスがオン状態を維持するようにすることができる。従って、後続するＢＬＥスキャン周期の第３時点ｔ３から第４時点ｔ４までの時間区間Ｐ１まで、ディスプレイ機器３１０は、アンビエント画面１１０１を続けてディスプレイすることができる。
【０２０９】
ディスプレイ機器３１０は、後続するＢＬＥスキャン周期の第３時点ｔ３から第４時点ｔ４までの時間区間Ｐ１の間、ＢＬＥスキャン１１２５を行い、登録されたモバイルが感知されるか否かということをさらに判断することができる。また、ディスプレイ機器３１０は、ＢＬＥスキャン１１２５結果、登録されたモバイルが感知されなければ（Ｓ１１１５）、アンビエントサービスの実行を維持するので、アンビエント画面１１０１と同一の画面を、第３時点ｔ３以後または第４時点ｔ４以後にも、続けてディスプレイすることができる。
【０２１０】
図１２は、開示された実施形態によるディスプレイ機器で遂行されるアンビエントサービスの制御動作について説明するための他の図面である。図１２において、図１１と同一の構成については、同一図面記号を利用して図示されている。従って、図１２に図示された動作についての説明にあたり、図１１と重複する説明は、省略する。
【０２１１】
図１１を参照して説明された開示された実施形態によるディスプレイ機器及びその制御方法は、登録されていないモバイル機器のユーザがアンビエントサービスを利用するときにも、アンビエントアプリケーションの実行を終了させず、アンビエントサービスを維持するようにする。それにより、登録されたユーザ以外のユーザがアンビエントサービスを提供されることが急に中断されることを防止することにより、ユーザの満足度を増大させることができる。
【０２１２】
図１２に図示された実施形態において、図１１で図示された実施形態と異なる点は、第１時点ｔ１から第２時間区間Ｐ２が経過した第３時点ｔ３から第１時間区間Ｐ１の間に遂行したＢＬＥスキャン１１２５により、登録されたモバイルが感知された（Ｓ１２１５）という点である。
【０２１３】
図１２を参照すれば、制御部３１１、例えば、制御部３１１に含まれるプロセッサ（図示せず）は、第１時点ｔ１から第１時間区間Ｐ１の間、登録されたモバイルが感知されるか否かということを判断し、該判断結果、登録されたモバイルが感知されなければ、第１時点ｔ１から第２時間区間Ｐ２が経過した後、登録されたモバイルが感知されるか否かということを再判断することができる。例えば、制御部３１１は、第１時点ｔ１から第２時間区間Ｐ２が経過した第３時点ｔ３において、ＢＬＥスキャン１１２５を介し、登録されたモバイルが感知されるか否かということを再判断することができる。前記の再判断結果、登録されたモバイルが存在すれば、制御部３１１は、第１プロセスが開始される（Ｓ１２３０）ように制御することができる。該第１プロセスは、登録されたモバイルの感知いかんにより、アンビエントサービスを自動的に終了させるためのプロセスである。該第１プロセスが開始されれば、後続する登録モバイルの感知結果により、アンビエントサービスを自動的に終了させることができる。
【０２１４】
例えば、第１プロセスが開始されれば（Ｓ１２３０）、次のＢＬＥスキャン動作（例えば、ＢＬＥスキャン１１２５が遂行された第３時点ｔ３から第２時間区間Ｐ２が経過した時点において遂行されるＢＬＥスキャン動作）において、登録されたモバイルが感知されなければ、アンビエントサービスを自動的に終了させるための動作が遂行される。例えば、制御部３１１は、アンビエントサービスの自動終了のために、アンビエントサービスの終了を知らせるユーザインターフェース画面を出力することができる。アンビエントサービスの終了を知らせるユーザインターフェース画面は、以下において、図１４及び図１５を参照して詳細に説明する。
【０２１５】
図１３は、開示された実施形態によるディスプレイ機器で遂行されるアンビエントサービスの制御動作について説明するための他の図面である。図１３において、図１１と同一の構成については、同一図面記号を利用して図示されている。従って、図１３に図示された動作についての説明にあたり、図１１と重複する説明は、省略する。
【０２１６】
図１３は、アンビエントサービスが開始された第１時点ｔ１以後、登録されたモバイルが感知された（Ｓ１３２１またはＳ１３５１）場合、開示された実施形態によるディスプレイ機器３１０で遂行される動作について説明する。例えば、１３０１ブロックは、アンビエントサービスが開始された第１時点ｔ１に対応するＢＬＥスキャン１１２０を介し、登録されたモバイルが感知され（Ｓ１３２１）、次のＢＬＥスキャン１１２５においては、登録されたモバイルが感知された（Ｓ１３２２）場合、開示された実施形態によるディスプレイ機器３１０で遂行される動作について説明する。そして、１３０５ブロックは、アンビエントサービスが開始された第１時点ｔ１に対応するＢＬＥスキャン１１２０を介し、登録されたモバイルが感知され（Ｓ１３５１）、次のＢＬＥスキャン（１１２５）においては、登録されたモバイルが感知されていない（Ｓ１３５２）場合、開示された実施形態によるディスプレイ機器３１０で遂行される動作について説明する。
【０２１７】
まず、１３０１ブロック動作について詳細に説明する。
【０２１８】
開示された実施形態において、制御部３１１、例えば、制御部３１１に含まれるプロセッサ（図示せず）は、第１時点ｔ１から第１時間区間Ｐ１の間、登録されたモバイルが感知されるか否かということを判断し、前記判断結果、登録されたモバイルが感知されれば、前記第１プロセスが開始されるように制御することができる。
【０２１９】
図１３の１３０１ブロックを参照すれば、アンビエントサービスが開始されれば、ディスプレイ機器３１０は、第１時間区間Ｐ１の間、ＢＬＥスキャン１１２０を行い、登録されたモバイルが存在するか否かということを判断することができる。ＢＬＥスキャン１１２０の結果、登録されたモバイルが感知されれば（Ｓ１３２１）、第１プロセスが開始されるように制御する（Ｓ１２３０）。
【０２２０】
ここで、該第１プロセスは、登録されたモバイルを感知するためのスキャンを行った結果により、アンビエントサービスを自動的に終了させるか否かということを決定するプロセスにもなる。例えば、該第１プロセスによれば、ディスプレイ機器３１０は、第１時点ｔ１から第２時間区間Ｐ２が経過した第３時点ｔ３から第１時間区間Ｐ１の間、登録されたモバイルが感知されるか否かということを再判断し、該再判断結果、登録されたモバイルが感知されなければ、前記アンビエントサービスを終了させるための動作を遂行することになる。そして、前記の再判断結果、登録されたモバイルが感知されれば（Ｓ１３２２）、ディスプレイ機器３１０は、アンビエントサービスを維持しながら、所定時間周期（例えば、Ｐ２）後、さらにＢＬＥスキャン１１２５を遂行することになる。
【０２２１】
続けて、１３０５ブロック動作について詳細に説明する。
【０２２２】
開示された実施形態において、制御部３１１、例えば、制御部３１１に含まれるプロセッサ（図示せず）は、第１時点ｔ１から第１時間区間Ｐ１の間、登録されたモバイルが感知されるか否かということを判断し、前記判断結果、登録されたモバイルが感知されれば、前記第１プロセスが開始される（Ｓ１２３０）ように制御することができる。１３０５ブロックに図示された「Ｓ１３５１」は、登録されたモバイルが感知される動作であり、１３０１ブロックに図示された「Ｓ１３２１」動作に同一対応するので、詳細説明は、省略する。
【０２２３】
図１３の１３０５ブロックを参照すれば、第１プロセスが開始されれば（Ｓ１２３０）、ＢＬＥスキャン１１２０を行い、登録されたモバイルが感知されたので、アンビエントサービスを維持しながら、所定時間周期（例えば、Ｐ２）後、さらにＢＬＥスキャン１１２５を遂行することになる。例えば、制御部３１１、例えば、制御部３１１に含まれるプロセッサ（図示せず）は、第１時点ｔ１から第１時間区間Ｐ１の間、登録されたモバイルが感知されるか否かということを判断し、前記判断結果、登録されたモバイルが感知されれば（Ｓ１３５１）、以下の動作を遂行する。
【０２２４】
制御部３１１は、アンビエントサービスを維持するので、ディスプレイ３１７を介し、アンビエント画面１１０１が続けてディスプレイされるように制御する。
【０２２５】
そして、制御部３１１は、第１時点ｔ１から第２時間区間Ｐ２が経過した第３時点ｔ３から第１時間区間Ｐ１の間、登録されたモバイルが感知されるか否かということを再判断し、前記再判断の結果、登録されたモバイルが感知されなければ（Ｓ１３５２）、アンビエントサービスを終了させるための動作を遂行することができる。ここで、前述の再判断は、ＢＬＥスキャン１１２５を介しても行われる。
【０２２６】
例えば、制御部３１１は、前述の再判断結果、登録されたモバイルが存在しなければ（Ｓ１３５２）、アンビエントサービスの終了を知らせる第１ユーザインターフェース画面（図示せず）を出力し、アンビエントサービスの実行を自動的に終了させることができる。
【０２２７】
例えば、該第１ユーザインターフェース画面（図示せず）は、「１分後にアンビエントサービスを終了させます」または「アンビエントサービスが終了します」というようなメッセージを含むユーザインターフェース画面にもなる。それにより、制御部３１１は、第１ユーザインターフェース画面が出力された直後、または第１ユーザインターフェース画面が出力された後、第３時間区間Ｐ３が経過した後、ターンオフ（turn off）されるように制御することができる。それにより、ディスプレイ機器３１０のディスプレイ３１７の画面は、アンビエント画面１１０１からブラック画面１３７０に変化するのである。
【０２２８】
また、制御部３１１は、前述の再判断結果、登録されたモバイルが存在しなければ（Ｓ１３５２）、アンビエントサービスの実行いかんを選択されるための第２ユーザインターフェース画面１３６３を出力し、第２ユーザインターフェース画面１３６３を介して受信されるユーザ入力に基づき、アンビエントサービスの終了いかんを決定することができる。
【０２２９】
例えば、第２ユーザインターフェース画面１３６３を介して受信されるユーザ入力が、アンビエントサービスの終了を受諾することに対応すれば、制御部３１１は、第２ユーザインターフェース画面が出力された直後、または第２ユーザインターフェース画面１３６３が出力された後、第３時間区間Ｐ３が経過した後、ターンオフされるように制御することができる。それにより、ディスプレイ機器３１０のディスプレイ３１７の画面は、アンビエント画面１１０１からブラック画面１３７０に変化しうる。
【０２３０】
また、第２ユーザインターフェース画面１３６３を介して受信されるユーザ入力が、アンビエントサービスの終了を拒否することに対応すれば、制御部３１１は、アンビエントサービスが維持されるように制御することができる。それにより、ディスプレイ機器３１０は、ディスプレイ３１７を介し、アンビエント画面１３７１を続けてディスプレイすることができる。
【０２３１】
図１４は、開示された実施形態によるディスプレイ機器で出力されるユーザインターフェース画面を示す図面である。図１４において、画面１４１０は、図１３で図示された第２ユーザインターフェース画面１３６３にも対応する。
【０２３２】
図１４を参照すれば、ディスプレイ機器３１０は、アンビエントサービスの実行いかんを選択されるための画面１４１０を出力することができる。画面１４１０は、アンビエントサービスの実行いかんを選択されるためのメニュー１４２０を含んでもよい。また、メニュー１４２０は、アンビエントサービスの終了を受諾するキー１４２１とアンビエントサービスの終了を拒絶するキー１４２２を含んでもよい。
【０２３３】
ユーザがユーザインターフェース５５０を介し、アンビエントサービスの終了を受諾するキー１４２１を選択すれば、制御部３１１は、アンビエントサービスが終了するように制御することができる。例えば、制御部３１１は、アンビエントサービスが終了することを知らせるメッセージ１４４０を含む画面１４３０を出力した後、ディスプレイ機器３１０がターンオフされるように制御することができる。
【０２３４】
図１５は、開示された実施形態によるディスプレイ機器から出力されるユーザインターフェース画面を示す他の図面である。図１５におき、画面１５１０は、図１３で図示された第２ユーザインターフェース画面１３６３にも対応する。また、図１５において、図１４と同一の構成は、同一図面記号を利用して図示されている。従って、図１５に開示された実施形態についての説明にあたり、図１４と重複する説明は、省略する。
【０２３５】
図１５を参照すれば、ディスプレイ機器３１０は、アンビエントサービスの実行いかんを選択されるための画面１５１０を出力することができる。ユーザが、ユーザインターフェース５５０を介し、アンビエントサービスの終了を拒絶するキー１４２２を選択すれば、制御部３１１は、アンビエントサービスが維持されるように制御することができる。それにより、ディスプレイ機器３１０は、ディスプレイ３１７を介し、アンビエント画面１５３０を続いてディスプレイすることができる。
【０２３６】
また、本開示の一実施形態、または他の実施形態によるディスプレイ機器の制御方法は、例えば、前述のディスプレイ機器３１０で遂行する動作を含んでもよく、開示された実施形態によるディスプレイ機器と同一の技術的思想を含んでもよい。
【０２３７】
本開示の一実施形態、または他の実施形態によるディスプレイ機器の制御方法は、多様なコンピュータ手段を介しても遂行されるプログラム命令形態によって具現され、コンピュータ可読媒体にも記録される。また、開示された実施形態は、前述のディスプレイ機器の制御方法を実行する命令語を含む１以上のプログラムが記録されたコンピュータ可読記録媒体にも形成される。
【０２３８】
前記コンピュータ可読媒体は、プログラム命令、データファイル、データ構造などを単独または組み合わせて含んでもよい。前記媒体に記録されるプログラム命令は、本発明のために特別に設計されて構成されたものでもあり、コンピュータソフトウェア当業者に公知されて使用可能なものでもある。該コンピュータ可読記録媒体の例には、ハードディスク、プロッピィディスク及び磁気テープのような磁気媒体（magnetic media）；ＣＤ−ＲＯＭ（compact disc read only memory）、ＤＶＤ（digital versatile disc）のような光記録媒体（optical media）；フロプティカルディスク（floptical disk）のような磁気・光媒体（magneto-optical media）；及びＲＯＭ、ＲＡＭ、フラッシュメモリのようなプログラム命令を保存して遂行するように特別に構成されたハードウェア装置が含まれる。プログラム命令の例には、コンパイラによって作われるような機械語コードだけではなく、インタープリタなどを使用し、コンピュータによって実行されうる高級言語コードを含む。
【０２３９】
また、前述の本開示の一実施形態、または他の実施形態によるディスプレイ機器の制御方法は、多重言語によって構成された文章を獲得する動作、及び多重言語翻訳モデルを利用し、前記多重言語によって構成された文章に含まれる単語それぞれに対応するベクトル値を獲得し、前記獲得されたベクトル値を目標言語に対応するベクトル値に変換し、前記変換されたベクトル値に基づき、前記目標言語によって構成された文章を獲得する動作を遂行させるプログラムが保存された記録媒体を含むコンピュータプログラム製品によっても具現される。
【０２４０】
以上において、実施形態について詳細に説明されたが、本発明の権利範囲は、それらに限定されるものではなく、特許請求の範囲で定義されている本発明の基本概念を利用した当業者の多くの変形及び改良形態も、本発明の権利範囲に属するのである。
【符号の説明】
【０２４１】
311  制御部
313  通信部
315  メモリ
317  ディスプレイ
361  制御部
363  通信部
365  メモリ
405  ＢＬＥネットワーク
511  ブルートゥースモジュール
512  無線通信モジュール
513  内部メモリ
550  ユーザインターフェース
610  ビデオ処理部
615  ディスプレイ部
620  オーディオ処理部
625  オーディオ出力部
626  スピーカ
627  ヘッドフォン出力端子
628  Ｓ／ＰＤＩＦ出力端子
630  電源部
640  チューナ部
650  通信部
651  無線通信モジュール
652  ブルートゥースモジュール
653  有線イーサネット
660  感知部
661  マイク
662  カメラ部
663  光受信部
670  入出力部
671  ＨＤＭＩ（登録商標）ポート
672  コンポーネントジャック
673  ＰＣポート
674  ＵＳＢポート
680  制御部
690  メモリ
【図１】
2022500975.tif 000003
【図２】
2022500975.tif 000004
【図３】
2022500975.tif 000005
【図４】
2022500975.tif 000006
【図５】
2022500975.tif 000007
【図６】
2022500975.tif 000008
【図７】
2022500975.tif 000009
【図８】
2022500975.tif 000010
【図９】
2022500975.tif 000011
【図１０】
2022500975.tif 000012
【図１１】
2022500975.tif 000013
【図１２】
2022500975.tif 000014
【図１３】
2022500975.tif 000015
【図１４】
2022500975.tif 000016
【図１５】
2022500975.tif 000017
【国際調査報告】
2022500975.tif 000018
2022500975.tif 000019